(57)【要約】【課題】ユーザの好みを反映した仕上がりで高画質プリントを作成できるようにすること。【解決手段】表示用鑑賞画像参照データＩｍ４、基準鑑賞画像参照データＩｍ５を再構成可能な差分データＡＩｍ６、シーン参照画像データＩｍ３を再構成可能な差分データＢＩｍ７、基準レンダリング情報Ｉｎ９およびユーザ用のレンダリング処理プログラムＰｒ１を同一の携帯可能な記録媒体に記録してユーザに提供する（ステップＳ１０１２）。【選択図】　　　　図２
2004112675.tif 000002
【特許請求の範囲】
【請求項１】
画像処理サービス提供者に画像処理サービスを依頼する依頼人に対し、当該画像処理対象となる原画像から出力デバイスのデバイス特性に適した画像データを提供する画像データ提供方法において、
前記原画像から拡張色域画像データを含むデータを取得する取得ステップと、
第１の出力デバイスに関するデバイス特性データ、前記拡張色域画像データを含むデータから第１の鑑賞画像参照データを生成するための第１の適正化処理条件を決定する決定ステップと、
前記拡張色域画像データを含むデータ及び前記第１の適正化処理条件データを互いに関連付けて記録する記録ステップと、
予め設定された手続きに基づいて、前記記録ステップで記録された前記拡張色域画像データを含むデータ及び前記第１の適正化処理条件データを前記依頼人にデータ提供するステップと、
を含むことを特徴とする画像データ提供方法。
【請求項２】
前記記録ステップでは、前記第１の適正化処理条件データを前記拡張色域画像データのタグ情報として記録することを特徴とする請求項１に記載の画像データ提供方法。
【請求項３】
前記拡張色域画像データを含むデータと、前記第１又は他の適正化処理条件データとから、該拡張色域画像データよりデータサイズが小さくなるように前記出力デバイスに適した縮小画像データを生成する縮小画像データ生成ステップを含み、
前記記録ステップでは、前記拡張色域画像データを含むデータおよび／または前記第１の適正化処理条件データを、前記縮小画像データに関連付けて記録することを特徴とする請求項１または２に記載の画像データ提供方法。
【請求項４】
前記拡張色域画像データと前記縮小画像データとの差異を表す第１の差分画像データを生成する差分画像データ生成ステップを含み、
前記記録ステップでは、前記第１の差分画像データを前記縮小画像データに関連付けて記録することを特徴とする請求項３に記載の画像データ提供方法。
【請求項５】
前記記録ステップでは、前記第１の差分画像データを前記縮小画像データのタグ情報として記録することを特徴とする請求項３または４に記載の画像データ提供方法。
【請求項６】
前記第１の出力デバイスが前記画像処理サービス提供者或いは他のプリントサービス提供者のプリンタであることを特徴とする請求項１〜５のうち何れか一項に記載の画像データ提供方法。
【請求項７】
前記第１の出力デバイスが前記画像処理サービス提供者にサービスを依頼する依頼人のプリンタであることを特徴とする請求項１〜５のうち何れか一項に記載の画像データ提供方法。
【請求項８】
指定された前記第１の出力デバイスを設定する出力デバイス設定ステップを含むことを特徴とする請求項１〜７のうち何れか一項に記載の画像データ提供方法。
【請求項９】
前記第１の適正化処理条件に基づいて前記第１の鑑賞画像参照データを生成する鑑賞画像参照データ生成ステップを含み、
前記記録ステップでは、前記第１の鑑賞画像参照データを、前記拡張色域画像データを含むデータおよび／または前記第１の適正化処理条件データに関連付けて記録することを特徴とする請求項１〜８のうち何れか一項に記載の画像データ提供方法。
【請求項１０】
前記記録ステップでは、前記第１の適正化処理条件データを前記第１の鑑賞画像参照データのタグ情報として記録することを特徴とする請求項９に記載の画像データ提供方法。
【請求項１１】
前記差分画像データ生成ステップでは、前記拡張色域画像データと前記第１の鑑賞画像参照データとの差異を表す第２の差分画像データを生成し、
前記記録ステップでは、前記第２の差分画像データを前記第１の鑑賞画像参照データに関連付けて記録することを特徴とする請求項９または１０に記載の画像データ提供方法。
【請求項１２】
前記決定ステップでは、前記第１の出力デバイスとは異なる第２の出力デバイスに関するデバイス特性データ、前記拡張色域画像データを含むデータに基づいて当該第２の出力デバイスに適した第２の鑑賞画像参照データを生成するための第２の適正化処理条件を決定し、
前記鑑賞画像参照データ生成ステップでは、前記拡張色域画像データを含むデータおよび前記第２の適正化処理条件データに基づいて前記第２の鑑賞画像参照データを生成し、
前記記録ステップでは、前記第１の鑑賞画像参照データを、前記第２の鑑賞画像参照データに関連付けて記録することを特徴とする請求項９〜１１のうち何れか一項に記載の画像データ提供方法。
【請求項１３】
前記差分画像生成ステップでは、前記第１の鑑賞画像参照データと前記第２の鑑賞画像参照データとの差異を表す第３の差分画像データを生成し、
前記記録ステップでは、前記第３の差分画像データを前記第２の鑑賞画像参照データに関連付けて記録することを特徴とする請求項１２に記載の画像データ提供方法。
【請求項１４】
前記第１の出力デバイスに対し、前記第１の鑑賞画像参照データが表す画像を印刷媒体に形成して第１のプリントを作成させるプリント作成ステップを含み、
前記プリント作成ステップでは、前記第１の出力デバイスに対し、前記第１の鑑賞画像参照データが表す画像に前記拡張色域画像データを含むデータ及び前記第１の適正化処理条件データを対応付けて前記第１のプリントを作成させることを特徴とする請求項１〜６、８〜１３のうち何れか一項に記載の画像データ提供方法。
【請求項１５】
前記決定ステップでは、前記第１の適正化処理条件データとは、少なくとも１つの処理条件および／または処理順が異なる第３の適正化処理条件を決定し、
前記鑑賞画像参照データ生成ステップでは、前記拡張色域画像データを含むデータ及び前記第３の適正化処理条件データに基づいて第３の鑑賞画像参照データを生成し、
前記プリント作成ステップでは、前記第１の出力デバイスに対し、前記第３の鑑賞画像参照データが表す画像を印刷媒体に形成して第２のプリントを作成させることを特徴とする請求項１４に記載の画像データ提供方法。
【請求項１６】
前記プリント作成ステップでは、前記第１の出力デバイスに対し、前記第１の鑑賞画像参照データと前記第３の鑑賞画像参照データとの差異が表す画像を印刷媒体に形成して前記第２のプリントを作成させることを特徴とする請求項１５に記載の画像データ提供方法。
【請求項１７】
前記プリント作成ステップでは、前記第１の出力デバイスに対し、前記第１のプリントと前記第２のプリントとを同一印刷媒体に形成して当該第２のプリントを作成させることを特徴とする請求項１５または１６に記載の画像データ提供方法。
【請求項１８】
前記プリント作成ステップでは、前記第１の出力デバイスに対し、前記第３の鑑賞画像参照データが表す画像を予め設定された縮小倍率に基づいて縮小して印刷媒体に形成することにより前記第２のプリントを作成させることを特徴とする請求項１５〜１７のうち何れか一項に記載の画像データ提供方法。
【請求項１９】
前記第３の鑑賞画像参照データが表す画像の一部をトリミングするトリミングステップを含み、
前記プリント作成ステップでは、前記第１の出力デバイスに対し、前記トリミングされた第３の鑑賞画像参照データを印刷媒体に形成し前記第２のプリントを作成させることを特徴とする請求項１５〜１８のうち何れか一項に記載の画像データ提供方法。
【請求項２０】
前記記録ステップでは、前記拡張色域画像データを含むデータ及び前記第１の適正化処理条件データを互いに関連付けてコンピュータ読み取り可能な記録媒体に記録することを特徴とする請求項１〜１９のうち何れか一項に記載の画像データ提供方法。
【請求項２１】
前記記録ステップでは、前記拡張色域画像データを含むデータ及び前記第１の適正化処理条件データを互いに関連付けて通信回線に接続されたサーバに格納することを特徴とする請求項１〜２０のうち何れか一項に記載の画像データ提供方法。
【請求項２２】
前記記録ステップでは、前記拡張色域画像データを含むデータ及び前記第１の適正化処理条件データを元にして、前記第４の適正化処理条件を取得するための適正化処理プログラムをコンピュータ読み取り可能な記録媒体に記録することを特徴とする請求項１〜２１のうち何れか一項に記載の画像データ提供方法。
【請求項２３】
前記記録ステップでは、前記拡張色域画像データを含むデータ及び前記第４の適正化処理条件データに基づき前記第４の鑑賞画像参照データを生成して記録するための適正化処理プログラムを前記記録媒体に記録することを特徴とする請求項２２に記載の画像データ提供方法。
【請求項２４】
前記記録ステップでは、前記第４の鑑賞画像参照データを、前記拡張色域画像データを含むデータおよび／または前記第１の適正化処理条件データに関連付けて記録する適正化処理プログラムを前記記録媒体に記録することを特徴とする請求項２３に記載の画像データ提供方法。
【請求項２５】
前記記録ステップでは、前記第４の適正化処理条件データを、前記拡張色域画像データを含むデータおよび／または前記第１の適正化処理条件データに関連付けて記録する適正化処理プログラムを前記記録媒体に記録することを特徴とする請求項２２〜２４のうち何れか一項に記載の画像データ提供方法。
【請求項２６】
前記取得ステップでは、撮像装置の装置特性を含むシーン参照生データから該装置特性を補正して標準化されたシーン参照画像データを前記拡張色域画像データとして取得し、
前記記録ステップでは、前記シーン参照画像データと前記第１の適正化処理条件データとを互いに関連付けて記録することを特徴とする請求項１〜２５のうち何れか一項に記載の画像データ提供方法。
【請求項２７】
原画像から出力デバイスのデバイス特性に適した画像データを取得するためのデータを記録する記録装置において、
前記原画像から拡張色域画像データを含むデータを取得する取得手段と、
第１の出力デバイスに関するデバイス特性データ、前記拡張色域画像データを含むデータから第１の鑑賞画像参照データを生成するための第１の適正化処理条件を決定する決定手段と、
前記拡張色域画像データを含むデータ及び前記第１の適正化処理条件データを互いに関連付けて記録する記録手段と、
を備えたことを特徴とする記録装置。
【請求項２８】
前記記録手段は、
前記第１の適正化処理条件データを前記拡張色域画像データのタグ情報として記録することを特徴とする請求項２７に記載の記録装置。
【請求項２９】
前記拡張色域画像データを含むデータと、前記第１又は他の適正化処理条件データとから、該拡張色域画像データよりデータサイズが小さくなるように前記出力デバイスに適した縮小画像データを生成する縮小画像データ生成手段を備え、
前記記録手段は、前記拡張色域画像データを含むデータおよび／または前記第１の適正化処理条件データを、前記縮小画像データに関連付けて記録することを特徴とする請求項２７または２８に記載の記録装置。
【請求項３０】
前記拡張色域画像データと前記縮小画像データとの差異を表す第１の差分画像データを生成する差分画像データ生成手段を備え、
前記記録手段は、
前記第１の差分画像データを前記縮小画像データに関連付けて記録することを特徴とする請求項２９に記載の記録装置。
【請求項３１】
前記記録手段は、
前記第１の差分画像データを前記縮小画像データのタグ情報として記録することを特徴とする請求項２９または３０に記載の記録装置。
【請求項３２】
前記第１の出力デバイスが画像処理サービス提供者或いは他のプリントサービス提供者のプリンタであることを特徴とする請求項２７〜３１のうち何れか一項に記載の記録装置。
【請求項３３】
前記第１の出力デバイスが画像処理サービス提供者にサービスを依頼する依頼人のプリンタであることを特徴とする請求項２７〜３１のうち何れか一項に記載の記録装置。
【請求項３４】
指定された前記第１の出力デバイスを設定する出力デバイス設定手段を備えたことを特徴とする請求項２７〜３３のうち何れか一項に記載の記録装置。
【請求項３５】
前記第１の適正化処理条件に基づいて前記第１の鑑賞画像参照データを生成する鑑賞画像参照データ生成手段を備え、
前記記録手段は、
前記第１の鑑賞画像参照データを、前記拡張色域画像データを含むデータおよび／または前記第１の適正化処理条件データに関連付けて記録することを特徴とする請求項２７〜３４のうち何れか一項に記載の記録装置。
【請求項３６】
前記記録手段は、
前記第１の適正化処理条件データを前記第１の鑑賞画像参照データのタグ情報として記録することを特徴とする請求項３５に記載の記録装置。
【請求項３７】
前記差分画像データ生成手段は、
前記拡張色域画像データと前記第１の鑑賞画像参照データとの差異を表す第２の差分画像データを生成し、
前記記録手段は、
前記第２の差分画像データを前記第１の鑑賞画像参照データに関連付けて記録することを特徴とする請求項３５または３６に記載の記録装置。
【請求項３８】
前記決定手段は、
前記第１の出力デバイスとは異なる第２の出力デバイスに関するデバイス特性データ、前記拡張色域画像データを含むデータに基づいて当該第２の出力デバイスに適した第２の鑑賞画像参照データを生成するための第２の適正化処理条件を決定し、
前記鑑賞画像参照データ生成手段は、
前記拡張色域画像データを含むデータおよび前記第２の適正化処理条件データに基づいて前記第２の鑑賞画像参照データを生成し、
前記記録手段は、
前記第１の鑑賞画像参照データを、前記第２の鑑賞画像参照データに関連付けて記録することを特徴とする請求項３５〜３７のうち何れか一項に記載の記録装置。
【請求項３９】
前記差分画像生成手段は、
前記第１の鑑賞画像参照データと前記第２の鑑賞画像参照データとの差異を表す第３の差分画像データを生成し、
前記記録手段は、
前記第３の差分画像データを前記第２の鑑賞画像参照データに関連付けて記録することを特徴とする請求項３８に記載の記録装置。
【請求項４０】
前記第１の出力デバイスに対し、前記第１の鑑賞画像参照データが表す画像を印刷媒体に形成して第１のプリントを作成させるプリント作成手段を備え、
前記プリント作成手段は、
前記第１の出力デバイスに対し、前記第１の鑑賞画像参照データが表す画像に前記拡張色域画像データを含むデータ及び前記第１の適正化処理条件データを対応付けて前記第１のプリントを作成させることを特徴とする請求項２７〜３２、３４〜３９のうち何れか一項に記載の記録装置。
【請求項４１】
前記決定手段は、
前記第１の適正化処理条件データとは、少なくとも１つの処理条件および／または処理順が異なる第３の適正化処理条件を決定し、
前記鑑賞画像参照データ生成手段は、
前記拡張色域画像データを含むデータ及び前記第３の適正化処理条件データに基づいて第３の鑑賞画像参照データを生成し、
前記プリント作成手段は、
前記第１の出力デバイスに対し、前記第３の鑑賞画像参照データが表す画像を印刷媒体に形成して第２のプリントを作成させることを特徴とする請求項４０に記載の記録装置。
【請求項４２】
前記プリント作成手段は、
前記第１の出力デバイスに対し、前記第１の鑑賞画像参照データと前記第３の鑑賞画像参照データとの差異が表す画像を印刷媒体に形成して前記第２のプリントを作成させることを特徴とする請求項４１に記載の記録装置。
【請求項４３】
前記プリント作成手段は、
前記第１の出力デバイスに対し、前記第１のプリントと前記第２のプリントとを同一印刷媒体に形成して当該第２のプリントを作成させることを特徴とする請求項４１または４２に記載の記録装置。
【請求項４４】
前記プリント作成手段は、
前記第１の出力デバイスに対し、前記第３の鑑賞画像参照データが表す画像を予め設定された縮小倍率に基づいて縮小して印刷媒体に形成することにより前記第２のプリントを作成させることを特徴とする請求項４１〜４３のうち何れか一項に記載の記録装置。
【請求項４５】
前記第３の鑑賞画像参照データが表す画像の一部をトリミングするトリミング手段を備え、
前記プリント作成手段は、
前記第１の出力デバイスに対し、前記トリミングされた第３の鑑賞画像参照データを印刷媒体に形成し前記第２のプリントを作成させることを特徴とする請求項４１〜４４のうち何れか一項に記載の記録装置。
【請求項４６】
前記記録手段は、
前記拡張色域画像データを含むデータ及び前記第１の適正化処理条件データを互いに関連付けてコンピュータ読み取り可能な記録媒体に記録することを特徴とする請求項２７〜４５のうち何れか一項に記載の記録装置。
【請求項４７】
前記記録手段は、
前記拡張色域画像データを含むデータ及び前記第１の適正化処理条件データを互いに関連付けて通信回線に接続されたサーバに格納することを特徴とする請求項２７〜４６のうち何れか一項に記載の記録装置。
【請求項４８】
前記記録手段は、
前記拡張色域画像データを含むデータ及び前記第１の適正化処理条件データを元にして、前記第４の適正化処理条件を取得するための適正化処理プログラムをコンピュータ読み取り可能な記録媒体に記録することを特徴とする請求項２７〜４７のうち何れか一項に記載の記録装置。
【請求項４９】
前記記録手段は、
前記拡張色域画像データを含むデータ及び前記第４の適正化処理条件データに基づき前記第４の鑑賞画像参照データを生成して記録するための適正化処理プログラムを前記記録媒体に記録することを特徴とする請求項４８に記載の記録装置。
【請求項５０】
前記記録手段は、
前記第４の鑑賞画像参照データを、前記拡張色域画像データを含むデータおよび／または前記第１の適正化処理条件データに関連付けて記録するための適正化処理プログラムを前記記録媒体に記録することを特徴とする請求項４９に記載の記録装置。
【請求項５１】
前記記録手段は、
前記第４の適正化処理条件データを、前記拡張色域画像データを含むデータおよび／または前記第１の適正化処理条件データに関連付けて記録するための適正化処理プログラムを前記記録媒体に記録することを特徴とする請求項４８〜５０のうち何れか一項に記載の記録装置。
【請求項５２】
前記取得手段は、
撮像装置の装置特性を含むシーン参照生データから該装置特性を補正して標準化されたシーン参照画像データを前記拡張色域画像データとして取得し、
前記記録手段は、
前記シーン参照画像データと前記第１の適正化処理条件データとを互いに関連付けて記録することを特徴とする請求項２７〜５１のうち何れか一項に記載の記録装置。
【請求項５３】
原画像から出力デバイスのデバイス特性に適した画像データを取得するためのデータを記録する記録装置を制御するコンピュータに、
前記原画像から拡張色域画像データを含むデータを取得する取得機能と、
第１の出力デバイスに関するデバイス特性データ、前記拡張色域画像データを含むデータから第１の鑑賞画像参照データを生成するための第１の適正化処理条件を決定する決定機能と、
前記拡張色域画像データを含むデータ及び前記第１の適正化処理条件データを互いに関連付けて記録する記録機能と、
を実現させるためのプログラム。
【請求項５４】
前記記録機能は、前記第１の適正化処理条件データを前記拡張色域画像データのタグ情報として記録する機能を含むことを特徴とする請求項５３に記載のプログラム。
【請求項５５】
前記拡張色域画像データを含むデータと、前記第１又は他の適正化処理条件データとから、該拡張色域画像データよりデータサイズが小さくなるように前記出力デバイスに適した縮小画像データを生成する縮小画像データ生成機能を前記コンピュータに実現させ、
前記記録機能は、前記拡張色域画像データを含むデータおよび／または前記第１の適正化処理条件データを、前記縮小画像データに関連付けて記録する機能を含むことを特徴とする請求項５３または５４に記載のプログラム。
【請求項５６】
前記拡張色域画像データと前記縮小画像データとの差異を表す第１の差分画像データを生成する差分画像データ生成機能を前記コンピュータに実現させ、
前記記録機能は、前記第１の差分画像データを前記縮小画像データに関連付けて記録する機能を含むことを特徴とする請求項５５に記載のプログラム。
【請求項５７】
前記記録機能は、前記第１の差分画像データを前記縮小画像データのタグ情報として記録する機能を含むことを特徴とする請求項５５または５６に記載のプログラム。
【請求項５８】
前記第１の出力デバイスが画像処理サービス提供者或いは他のプリントサービス提供者のプリンタであることを特徴とする請求項５３〜５７のうち何れか一項に記載のプログラム。
【請求項５９】
前記第１の出力デバイスが画像処理サービス提供者にサービスを依頼する依頼人のプリンタであることを特徴とする請求項５３〜５７のうち何れか一項に記載のプログラム。
【請求項６０】
指定された前記第１の出力デバイスを設定する出力デバイス設定機能を前記コンピュータに実現させることを特徴とする請求項５３〜５９のうち何れか一項に記載のプログラム。
【請求項６１】
前記第１の適正化処理条件に基づいて前記第１の鑑賞画像参照データを生成する鑑賞画像参照データ生成機能を前記コンピュータに実現させ、
前記記録機能は、前記第１の鑑賞画像参照データを、前記拡張色域画像データを含むデータおよび／または前記第１の適正化処理条件データに関連付けて記録する機能を含むことを特徴とする請求項５３〜６０のうち何れか一項に記載のプログラム。
【請求項６２】
前記記録機能は、前記第１の適正化処理条件データを前記第１の鑑賞画像参照データのタグ情報として記録する機能を含むことを特徴とする請求項６１に記載のプログラム。
【請求項６３】
前記差分画像データ生成機能は、前記拡張色域画像データと前記第１の鑑賞画像参照データとの差異を表す第２の差分画像データを生成する機能を含み、
前記記録機能は、前記第２の差分画像データを前記第１の鑑賞画像参照データに関連付けて記録する機能を含むことを特徴とする請求項６１または６２に記載のプログラム。
【請求項６４】
前記決定機能は、前記第１の出力デバイスとは異なる第２の出力デバイスに関するデバイス特性データ、前記拡張色域画像データを含むデータに基づいて当該第２の出力デバイスに適した第２の鑑賞画像参照データを生成するための第２の適正化処理条件を決定する機能を含み、
前記鑑賞画像参照データ生成機能は、前記拡張色域画像データを含むデータおよび前記第２の適正化処理条件データに基づいて前記第２の鑑賞画像参照データを生成する機能を含み、
前記記録機能は、前記第１の鑑賞画像参照データを、前記第２の鑑賞画像参照データに関連付けて記録する機能を含むことを特徴とする請求項６１〜６３のうち何れか一項に記載のプログラム。
【請求項６５】
前記差分画像生成機能は、前記第１の鑑賞画像参照データと前記第２の鑑賞画像参照データとの差異を表す第３の差分画像データを生成する機能を含み、
前記記録機能は、前記第３の差分画像データを前記第２の鑑賞画像参照データに関連付けて記録する機能を含むことを特徴とする請求項６４に記載のプログラム。
【請求項６６】
前記第１の出力デバイスに対し、前記第１の鑑賞画像参照データが表す画像を印刷媒体に形成して第１のプリントを作成させるプリント作成機能を前記コンピュータに実現させ、
前記プリント作成機能は、前記第１の出力デバイスに対し、前記第１の鑑賞画像参照データが表す画像に前記拡張色域画像データを含むデータ及び前記第１の適正化処理条件データを対応付けて前記第１のプリントを作成させる機能を含むことを特徴とする請求項５３〜５８、６０〜６５のうち何れか一項に記載のプログラム。
【請求項６７】
前記決定機能は、前記第１の適正化処理条件データとは、少なくとも１つの処理条件および／または処理順が異なる第３の適正化処理条件を決定する機能を含み、
前記鑑賞画像参照データ生成機能は、前記拡張色域画像データを含むデータ及び前記第３の適正化処理条件データに基づいて第３の鑑賞画像参照データを生成する機能を含み、
前記プリント作成機能は、前記第１の出力デバイスに対し、前記第３の鑑賞画像参照データが表す画像を印刷媒体に形成して第２のプリントを作成させる機能を含むことを特徴とする請求項６６に記載のプログラム。
【請求項６８】
前記プリント作成機能は、
前記第１の出力デバイスに対し、前記第１の鑑賞画像参照データと前記第３の鑑賞画像参照データとの差異が表す画像を印刷媒体に形成して前記第２のプリントを作成させる機能を含むことを特徴とする請求項６７に記載のプログラム。
【請求項６９】
前記プリント作成機能は、前記第１の出力デバイスに対し、前記第１のプリントと前記第２のプリントとを同一印刷媒体に形成して当該第２のプリントを作成させる機能を含むことを特徴とする請求項６７または６８に記載のプログラム。
【請求項７０】
前記プリント作成機能は、前記第１の出力デバイスに対し、前記第３の鑑賞画像参照データが表す画像を予め設定された縮小倍率に基づいて縮小して印刷媒体に形成することにより前記第２のプリントを作成させる機能を含むことを特徴とする請求項６７〜６９のうち何れか一項に記載のプログラム。
【請求項７１】
前記第３の鑑賞画像参照データが表す画像の一部をトリミングするトリミング機能を前記コンピュータに実現させ、
前記プリント作成機能は、前記第１の出力デバイスに対し、前記トリミングされた第３の鑑賞画像参照データを印刷媒体に形成し前記第２のプリントを作成させる機能を含むことを特徴とする請求項６７〜７０のうち何れか一項に記載のプログラム。
【請求項７２】
前記記録機能は、前記拡張色域画像データを含むデータ及び前記第１の適正化処理条件データを互いに関連付けてコンピュータ読み取り可能な記録媒体に記録する機能を含むことを特徴とする請求項５３〜７１のうち何れか一項に記載のプログラム。
【請求項７３】
前記記録機能は、前記拡張色域画像データを含むデータ及び前記第１の適正化処理条件データを互いに関連付けて通信回線に接続されたサーバに格納する機能を含むことを特徴とする請求項５３〜７２のうち何れか一項に記載のプログラム。
【請求項７４】
前記記録機能は、前記拡張色域画像データを含むデータ及び前記第１の適正化処理条件データを元にして、前記第４の適正化処理条件を取得するための適正化処理プログラムをコンピュータ読み取り可能な記録媒体に記録する機能を含むことを特徴とする請求項５３〜７３のうち何れか一項に記載のプログラム。
【請求項７５】
前記記録機能は、前記拡張色域画像データを含むデータ及び前記第４の適正化処理条件データに基づき前記第４の鑑賞画像参照データを生成して記録するための適正化処理プログラムを前記記録媒体に記録する機能を含むことを特徴とする請求項７４に記載のプログラム。
【請求項７６】
前記記録機能は、前記第４の鑑賞画像参照データを、前記拡張色域画像データを含むデータおよび／または前記第１の適正化処理条件データに関連付けて記録するための適正化処理プログラムを前記記録媒体に記録する機能を含むことを特徴とする請求項７５に記載のプログラム。
【請求項７７】
前記記録機能は、前記第４の適正化処理条件データを、前記拡張色域画像データを含むデータおよび／または前記第１の適正化処理条件データに関連付けて記録するための適正化処理プログラムを前記記録媒体に記録する機能を含むことを特徴とする請求項７４〜７６のうち何れか一項に記載のプログラム。
【請求項７８】
前記取得機能は、撮像装置の装置特性を含むシーン参照生データから該装置特性を補正して標準化されたシーン参照画像データを前記拡張色域画像データとして取得し、
前記記録機能は、前記シーン参照画像データと前記第１の適正化処理条件データとを互いに関連付けて記録することを特徴とする請求項５３〜７７のうち何れか一項に記載のプログラム。
【発明の詳細な説明】
【０００１】
【発明の属する技術分野】
本発明は、画像データ提供方法、記録装置及び当該記録装置を制御するためのプログラムに関する。
【０００２】
【従来の技術】
従来、写真フィルムを現像してプリントの作成を行う場合、写真フィルムの画像を印画紙に投影して露光する直接露光が主に用いられていた。
【０００３】
これに対し、近年では、写真フィルムの画像を光電的に読み取ってデジタル信号とし、このデジタル画像信号に種々の画像処理を施して記録用の画像データを作成し、更にこの画像データに応じて変調した記録光によって感光材料を走査露光してプリント出力するデジタルフォトプリンタが実用化されている。
【０００４】
このようなデジタルフォトプリンタによれば、画像データに対して好適な画像処理（適正化）を行うことができるので、階調調整、カラーバランス調整、色／濃度調整等を好適に行って、従来の直接露光では得られなかった高品位なプリントを得ることができる。
【０００５】
この場合、原画像をデジタルデータに変換して用いられるので、写真フィルムに撮影された画像だけでなく、デジタルカメラ等で撮影された画像データや、インターネット等の通信手段で取得された画像データもプリント出力可能となる。
【０００６】
さらに、この場合、当該画像データ（画像ファイル）は、ＣＤ−Ｒ（Ｃｏｍｐａｃｔ　Ｄｉｓｃ−Ｒｅｃｏｒｄａｂｌｅ）、フロッピー（登録商標）ディスク、メモリカード（登録商標）などの記録媒体やインターネットを経由して配信されたり、ＣＲＴ（Ｃａｔｈｏｄｅ　Ｒａｙ　Ｔｕｂｅ）、液晶、プラズマ等のディスプレイモニタや携帯電話の小型液晶モニタの表示デバイスに表示されたり、デジタルミニラボ、インクジェットプリンタ、サーマルプリンタ等の出力デバイスを用いてハードコピー画像としてプリント出力されるなど、画像データの表示・プリント方法は多種多様化してきている。
【０００７】
また画像データを鑑賞用途で表示・プリントする場合には、鑑賞に使用するディスプレイモニタやハードコピー上において所望の画質が得られるように階調調整、輝度調整、カラーバランス調整、鮮鋭性強調などの種々の画像処理が一般に行われている。
【０００８】
こうした多様な表示・プリント方法に対応すべく画像データの汎用性を高める努力がなされてきた。その一環として、デジタルＲＧＢ信号が表現する色空間を撮像装置特性に依存しない色空間に標準化する試みがあり、現在では多くのデジタル画像データに標準化された色空間として「ｓＲＧＢ」が採用されている（「Ｍｕｌｔｉｍｅｄｉａ　Ｓｙｓｔｅｍｓ　ａｎｄ　Ｅｑｕｉｐｍｅｎｔ−Ｃｏｌｏｕｒ　Ｍｅａｓｕｒｍｅｎｔ　ａｎｄ　Ｍａｎａｇｅｍｅｎｔ−Ｐａｒｔ２−１：Ｃｏｌｏｕｒ　Ｍａｎａｇｅｍｅｎｔ−Ｄｅｆａｕｌｔ　ＲＧＢ　Ｃｏｌｏｕｒ　Ｓｐａｃｅ−ｓＲＧＢ」　ＩＥＣ”６１９６６−２−１を参照）。このｓＲＧＢの色空間は標準的なＣＲＴディスプレイモニタの色再現領域に対応して設定されている。
【０００９】
ところで、ＣＲＴディスプレイモニタなどの表示デバイスで表示される画像や、各種プリントデバイスによりプリントされたハードコピー画像は、用いられている蛍光体または色材の構成によって色再現域が異なる。例えばｓＲＧＢ標準色空間に対応するＣＲＴディスプレイモニタの色再現領域は明るい緑や青の領域が広く、銀塩写真プリント、インクジェットプリンタ、印刷等のハードコピーでは再現できない領域がある。逆に、印刷、インクジェットのシアン領域や銀塩写真の黄色領域にはｓＲＧＢ標準色空間に対応するＣＲＴディスプレイモニタでは再現できない領域が存在する（例えばコロナ社「ファインイメージングとデジタル写真」（社）日本写真学会出版委員会編４４４頁参照）。一方、撮影対象となる被写体シーンの中には、これらのいずれの色再現領域でも再現できない領域色を呈しているものが存在する可能性がある。
【００１０】
このように、特定デバイスによる表示・プリントの実施を前提として適正化された色空間（ｓＲＧＢを含む）には記録可能な色域に制限があるため、撮像デバイスにより取得された画像データを記録する際には、記録可能な色域に圧縮してマッピングする調整処理が必要になる。記録可能な色域の外にある色度点を最寄の色域境界上へマッピングしてしまうクリッピングが最も簡単であるが、これでは色域外のグラデーションが潰れてしまい、鑑賞時に違和感を覚える画像になってしまう。このため現在では、適当な閾値以上にクロマが高い領域の色度点をクロマの大きさに従って滑らかに圧縮する非線形圧縮が一般に採用されている。この結果、記録可能な色域内部の色度点においてもクロマが圧縮されて記録されることとなる（色域のマッピング方法についての詳細は、例えばコロナ社「ファインイメージングとデジタル写真」（社）日本写真学会出版委員会編４４７頁に記載されている）。
【００１１】
また、ＣＲＴディスプレイモニタ等の表示デバイスで表示される画像や、各種プリントデバイスによりプリントされたハードコピー画像、またこれらのデバイスによる表示・プリントの実施を前提として適正化された色空間（ｓＲＧＢを含む）は記録・再現可能な輝度域が略１００対１のオーダーに限定されている。これに対して撮影対象となる被写体シーンは輝度域が広く、屋外では数千対１のオーダーに至ることもしばしば発生する（例えば東京大学出版会「新編色彩科学ハンドブック第２版」日本色彩学会編９２６頁参照）。従って、撮像デバイスにより取得された画像データを記録する際には輝度についても同様に圧縮が必要になる。この処理は撮影シーンのダイナミックレンジや、撮影シーン内における主要被写体の輝度レンジに応じて、１画像毎に適切な条件を設定する必要がある。
【００１２】
ところが、上記のような色域・輝度域の圧縮操作をおこなった場合、離散的数値で記録されるデジタル画像の原理に起因して、圧縮されたグラデーション情報やクリッピングされた情報はこの時点で失われ、再び元の状態に戻すことが不可能となる。このことは高画質デジタル画像の汎用化を目指す上で大きな制約となっている。
【００１３】
たとえば、ｓＲＧＢ標準色空間において記録された画像をプリントする場合は、両者の色再現域の相違に基づいて再度マッピングが必要となる。しかし記録時に一旦圧縮された領域のグラデーション情報が失われているので、撮像デバイスにより取得された画像データを直接プリントデバイスの色再現域にマッピングする場合に比べてグラデーションの滑らかさが劣化する。また記録時の階調圧縮条件が不適切で、絵が白っぽい、顔が暗い、シャドーの潰れやハイライト領域の白飛びが目立つなどという問題が生じた場合、階調設定を変更して画像を改善しようとしても、圧縮されたグラデーション情報や潰れ、更には白飛び部分の情報は既に失われているために、撮像デバイスにより取得された画像データから画像を作り直す場合と比べて十分な改善が行えない。
【００１４】
画像編集の過程を、データ量の極端な増加を伴うことなくバックアップとして保存し、必要に応じて編集前の状態に戻す技術は古くから知られている。例えば、画像データを画像処理して局所的な変更を施した場合、画像処理前後のデジタル画像データとの差分画像データをバックアップデータとして保存するバックアップ装置が考案されている（例えば、特許文献１参照。）。また、画像処理前後のデジタル画像データの差分画像データを保存しておくことにより、画像処理前の画像データを元の状態に復元可能とする方法が考案されている（例えば、特許文献２参照。）。
【００１５】
ここで、撮像デバイスにより取得された広い色域・輝度域の情報を圧縮しないシーン参照画像データとして記録すれば不用意な情報の損失を防止できる。このようなシーン参照画像データの記録用に適した標準色空間としては、例えば「ＲＩＭＭ　ＲＧＢ」や「ＥＲＩＭＭ　ＲＧＢ」が提案されている（Ｊｏｕｒｎａｌ　ｏｆ　Ｉｍａｇｉｎｇ　Ｓｃｉｅｎｃｅ　ａｎｄ　Ｔｅｃｈｎｏｌｏｇｙ　４５巻　４１８〜４２６頁（２００１年）参照）。
【００１６】
さらに、表示手段に表示された画像信号形態で記録するモードと、撮像時の画像信号形態で記録するモードとを有することを特徴とする画像処理装置が開示されている（例えば、特許文献３参照。）。後者の画像信号形態は一般にＲＡＷデータと呼ばれ、このようなデジタル画像データは、専用のアプリケーションソフト（「現像ソフト」という。）を用いて、Ｅｘｉｆ（Ｅｘｃｈａｎｇｅａｂｌｅ　ｉｍａｇｅ　ｆｉｌｅ　ｆｏｒｍａｔ）ファイルなどの表示・プリント用の鑑賞画像参照データに変換する（「電子現像」または単に「現像」という。）ことができる。ＲＡＷデータは撮影時の全情報を含んでいる為、鑑賞画像参照データの作り直しが可能であり、ＣＭＹＫなどの他の表色系ファイルを直接作れば、ディスプレイモニタ（ｓＲＧＢ）との色域の相違に起因して不用意に色が変更される事もなくなる。ここで、ＲＡＷデータは撮像装置の機種に固有の分光感度特性に基づいた色空間と撮像装置の機種に固有のファイルフォーマットとに基づいて記録されているため、撮像装置の機種に固有の現像ソフトを用いなければ表示・プリントに適した画像を得ることができない。
【００１７】
【特許文献１】
特開平７−５７０７４号公報（第４−７頁、第５−６図）
【特許文献２】
特開２００１−９４７７８号公報（第４−８頁、第１−２図）
【特許文献３】
特開平１１−２６１９３３号公報（第４−１１頁、第２−４図）
【００１８】
【発明が解決しようとする課題】
しかし、上記従来の方法によって画像処理前の画像が再構成されたとしても、ユーザ（すなわち、プリントサービス等を行う画像処理サービス提供者にサービス提供を依頼する依頼人）一人一人の好みの仕上がりに画像生成することは困難であり、さらに出力デバイスの色域などの特性に合うように画像生成することも困難である。
【００１９】
本発明の目的は、ユーザの好みを反映した仕上がりで高画質プリントを作成できるようにすることである。
【００２０】
【課題を解決するための手段】
上記課題を解決するために、請求項１に記載の発明は、
画像処理サービス提供者に画像処理サービスを依頼する依頼人に対し、当該画像処理対象となる原画像から出力デバイスのデバイス特性に適した画像データを提供する画像データ提供方法において、
前記原画像から拡張色域画像データを含むデータを取得する取得ステップと、
第１の出力デバイスに関するデバイス特性データ、前記拡張色域画像データを含むデータから第１の鑑賞画像参照データを生成するための第１の適正化処理条件を決定する決定ステップと、
前記拡張色域画像データを含むデータ及び前記第１の適正化処理条件データを互いに関連付けて記録する記録ステップと、
予め設定された手続きに基づいて、前記記録ステップで記録された前記拡張色域画像データを含むデータ及び前記第１の適正化処理条件データを前記依頼人にデータ提供するステップと、
を含むことを特徴とする。
【００２１】
したがって、従来の画像処理サービスで提供されるｓＲＧＢ標準色空間において記録された画像は、ディスプレイモニタの表示色域に適合するように色域・輝度域が圧縮されており、プリントデバイスの色再現域にマッピングする場合に生じるグラデーションの不調、記録時の階調圧縮条件に起因する数々の不調等に対し十分な改善が困難な画像データであるのに対し、本発明では、原画像から得た拡張色域画像を記録するので、プリントデバイスなどの多くの種類の出力デバイスに適した画像を生成するために用いることができる。
【００２２】
さらに、拡張色域画像データから第１の出力デバイス（以下、基準出力デバイスという。）に適した第１の鑑賞画像参照データ（以下、基準鑑賞画像参照データという。）を生成する第１の適正化処理（以下、適正化処理をレンダリングという。）条件（以下、適正化処理条件をレンダリング条件という。）を第１の適正化処理条件データ（以下、第１の適正化処理条件データを基準レンダリング情報という。）として拡張色域画像データと関連付けて記録し、ユーザに提供するので、ユーザは基準レンダリング情報として提供されるレンダリング条件を参考にして容易に条件のパラメータを増減させる等してユーザの意図にあったユーザ好みのレンダリング条件の設定を行うことができる。当該ユーザ設定に基づいて拡張色域画像データにレンダリングを施して生成される鑑賞画像参照データをプリントデバイス等の出力デバイスに出力することにより、ユーザが所望とする仕上がりで高画質プリントの出力が可能となる。
【００２３】
請求項２に記載の発明のように、請求項１に記載の発明において、
前記記録ステップでは、前記第１の適正化処理条件データを前記拡張色域画像データのタグ情報として記録するのが好ましい。
【００２４】
したがって、基準レンダリング情報を、拡張色域画像データのタグ情報（メタデータ）として記録するので、両情報の関連が失われる可能性が減少し、ユーザへの情報提供が安定して行える。
【００２５】
請求項３に記載の発明のように、請求項１または２に記載の発明において、
前記拡張色域画像データを含むデータと、前記第１又は他の適正化処理条件データとから、該拡張色域画像データよりデータサイズが小さくなるように前記出力デバイスに適した縮小画像データを生成する縮小画像データ生成ステップを含み、
前記記録ステップでは、前記拡張色域画像データを含むデータおよび／または前記第１の適正化処理条件データを、前記縮小画像データに関連付けて記録するのが好ましい。
【００２６】
したがって、出力デバイスに適した鑑賞画像参照データである縮小画像データを、拡張色域画像データを含むデータおよび／または基準レンダリング情報と関連付けて記録するので、ユーザは縮小画像データを出力デバイスに出力するなどして、処理対象の画像つまり関連付けて記録した拡張色域画像データを含むデータおよび基準レンダリング情報の選択などを行うことができる。また、ユーザ毎の環境で拡張色域画像データを含むデータが利用できない場合であっても、縮小画像データが対応する出力デバイスに出力して利用することが可能となる。
【００２７】
また、基準レンダリング情報を縮小画像データのタグ情報（メタデータ）として記録するので、請求項１０と同様に情報の関連が失われる可能性が減少してユーザへの情報提供が安定して行える。
【００２８】
なお、出力デバイスに適した鑑賞画像参照データは、基準出力デバイスに適した基準鑑賞画像参照データであって良く、基準出力デバイス以外の出力デバイスに適した鑑賞画像参照データであっても良い。基準出力デバイス以外の出力デバイスとしては、ディスプレイモニタが好適に用いられ、鑑賞画像参照データとしては、ｓＲＧＢ画像データやサムネイル画像等が好適に用いられる。
【００２９】
請求項４に記載の発明のように、請求項３に記載の発明において、
前記拡張色域画像データと前記縮小画像データとの差異を表す第１の差分画像データを生成する差分画像データ生成ステップを含み、
前記記録ステップでは、前記第１の差分画像データを前記縮小画像データに関連付けて記録するのが好ましい。
【００３０】
したがって、データサイズの小さい縮小画像データに関連付けて第１の差分画像データを記録するので、拡張色域画像データのデータ量を削減してユーザに提供することが可能となる。
【００３１】
なお、縮小画像データは、基準出力デバイスに適した基準鑑賞画像参照データであって良く、基準出力デバイス以外の出力デバイスに適した鑑賞画像参照データであっても良く、ディスプレーモニタに適したｓＲＧＢ画像データであればさらに好適である。
【００３２】
請求項５に記載の発明のように、請求項３または４に記載の発明において、
前記記録ステップでは、前記第１の差分画像データを前記縮小画像データのタグ情報として記録するのが好ましい。
更に、第１の適正化処理条件データ（基準レンダリング情報）等の関連情報も、縮小画像データのタグ情報として記録するのが好ましい。
【００３３】
したがって、第１の差分画像データを縮小画像データのタグ情報（メタデータ）として記録するので、拡張色域画像データと縮小画像データとの関連が失われる可能性が減少し、ユーザへの情報を安定して提供できる。
【００３４】
請求項６に記載の発明のように、請求項１〜５のうち何れか一項に記載の発明において、
前記第１の出力デバイスが前記画像処理サービス提供者或いは他のプリントサービス提供者のプリンタであるのが好ましい。
【００３５】
したがって、画像処理サービス提供者或いは他のプリントサービス提供者のプリンタを基準出力デバイスとして基準レンダリング情報を記録するので、ユーザは、画像処理サービス提供者或いは他のプリントサービス提供者のプリンタに適合した基準レンダリング情報を元にして自分好みの変更を画像データに施すことが可能となる。当該変更された画像データは、画像処理サービス提供者或いは他のプリントサービス提供者のプリンタからのプリント出力に適した画像データであり、そのデータを画像処理サービス提供者或いは他のプリントサービス提供者のプリンタで出力することにより、ユーザが行った変更が適正に反映された仕上がりの高画質プリントが得られる。
【００３６】
なお、基準出力デバイスは、画像処理サービス提供者がユーザに画像処理サービスを提供する際に用いるプリンタであっても良いし、後日、ユーザが画像処理サービスを受けられるように、注文情報および／またはユーザ情報に基づいて直接立ち寄り易いサービス窓口、駅、コンビニエンスストア等に設置された無人受付端末あるいは通信網を介するなど間接的に利用しやすいフォトネットサービス等に対応してプリントを作成するための画像処理サービス提供者と同一または異なるプリントサービス提供者のプリンタを基準出力デバイスに設定しても良い。
【００３７】
請求項７に記載の発明のように、請求項１〜５のうち何れか一項に記載の発明において、
前記第１の出力デバイスが前記画像処理サービス提供者にサービスを依頼する依頼人のプリンタであるのが好ましい。
【００３８】
したがって、ユーザが使用するプリンタを基準出力デバイスとして基準レンダリング情報を記録するので、ユーザは、自身が保有するプリンタに適合した基準レンダリング情報を元にして好みの変更を施すことができる。当該変更された画像データは、ユーザ自身のプリンタからのプリント出力に適した画像データであり、そのデータをユーザ自身のプリンタで出力することにより、ユーザの意図や好みが適正に反映された仕上がりの高画質プリントが得られる。
【００３９】
請求項８に記載の発明のように、請求項１〜７のうち何れか一項に記載の発明において、
指定された前記第１の出力デバイスを設定する出力デバイス設定ステップを含むのが好ましい。
【００４０】
すなわち、画像処理サービス提供者と同一または異なるプリントサービス提供者のプリンタおよび／またはユーザが保有するプリンタ等、これから編集画像を出力する際に用いる出力デバイスがユーザにより画像処理サービス提供者に対して指定される。
【００４１】
したがって、ユーザによりサービス提供者に対して指定される出力デバイスを基準出力デバイスとして基準レンダリング情報を記録するので、ユーザは、自分で指定した出力デバイスに適合した基準レンダリング情報を元にして自分好みの変更を施すことが可能となる。当該変更された画像データは、これから編集画像を出力する際に用いる出力デバイスに適した画像データとなっている。このため、当該編集後の画像データをプリンタにより出力すれば、ユーザの意図や好みが反映された仕上がりの高画質プリントが得られる。
【００４２】
請求項６〜８に記載の発明によれば、画像処理サービス提供者またはユーザにより設定されたレンダリング条件に基づいて生成された鑑賞画像参照データがプリンタに出力される際にユーザが所望とする仕上がりのプリントが得られるような当該レンダリング条件を得る情報を基準レンダリング情報として設定することも可能である。
【００４３】
したがって、ユーザが所望とする仕上がりのプリントが得られた場合のレンダリング情報を基準レンダリング情報として記録するので、ユーザは、所望の仕上がりを得るための基準レンダリング情報を元にレンダリング条件を変更できるので、ユーザの意図や好みが反映されたより細かな調整が可能となる。
【００４４】
請求項９に記載の発明のように、請求項１〜８のうち何れか一項に記載の発明において、
前記第１の適正化処理条件に基づいて前記第１の鑑賞画像参照データを生成する鑑賞画像参照データ生成ステップを含み、
前記記録ステップでは、前記第１の鑑賞画像参照データを、前記拡張色域画像データを含むデータおよび／または前記第１の適正化処理条件データに関連付けて記録するのが好ましい。
【００４５】
したがって、基準鑑賞画像参照データを、拡張色域画像データを含むデータおよび／または基準レンダリング情報に関連付けて記録するので、ユーザあるいはユーザから画像データを提供された第３者は、基準鑑賞画像参照データからそのままプリントを作成すことができる。そして、作成したプリントを観察して、好みのレンダリング条件を設定することもできる。
【００４６】
請求項１０に記載の発明のように、請求項９に記載の発明において、
前記記録ステップでは、前記第１の適正化処理条件データを前記第１の鑑賞画像参照データのタグ情報として記録するのが好ましい。
【００４７】
したがって、基準レンダリング情報を前記基準鑑賞画像参照データのタグ情報（メタデータ）として記録するので、基準レンダリング情報と基準鑑賞画像参照データとの関連が失われる可能性が減少し、ユーザへの情報提供が安定して行える。このことは基準レンダリング情報と対応する基準鑑賞画像参照データとを複数組記録する場合にも有効である。
【００４８】
請求項１１に記載の発明のように、請求項９または１０に記載の発明において、
前記差分画像データ生成ステップでは、前記拡張色域画像データと前記第１の鑑賞画像参照データとの差異を表す第２の差分画像データを生成し、
前記記録ステップでは、前記第２の差分画像データを前記第１の鑑賞画像参照データに関連付けて記録するのが好ましい。
【００４９】
したがって、拡張色域画像データよりデータサイズの小さい基準鑑賞画像参照データと差分画像データとを記録するので、拡張色域画像データのデータ量を削減してユーザに提供することが可能となる。
【００５０】
請求項１２に記載の発明のように、請求項９〜１１のうち何れか一項に記載の発明において、
前記決定ステップでは、前記第１の出力デバイスとは異なる第２の出力デバイスに関するデバイス特性データ、前記拡張色域画像データを含むデータに基づいて当該第２の出力デバイスに適した第２の鑑賞画像参照データを生成するための第２の適正化処理条件を決定し、
前記鑑賞画像参照データ生成ステップでは、前記拡張色域画像データを含むデータおよび前記第２の適正化処理条件データに基づいて前記第２の鑑賞画像参照データを生成し、
前記記録ステップでは、前記第１の鑑賞画像参照データを、前記第２の鑑賞画像参照データに関連付けて記録するのが好ましい。
【００５１】
なお、基準出力デバイスとは異なる出力デバイスに適した鑑賞画像参照データは、基準出力デバイスを２つ以上設定した場合、任意の基準出力デバイスに適した基準鑑賞画像参照データであって良く、基準出力デバイス以外の出力デバイスに適した鑑賞画像参照データであっても良い。基準出力デバイス以外の出力デバイスとしては、ディスプレイモニタが好適に用いられ、鑑賞画像参照データとしては、ｓＲＧＢ画像データやサムネイル画像等が好適に用いられる。さらに、請求項１１〜１４に記載の少なくとも１つの出力デバイスに適した鑑賞画像参照データを共用することも可能である。
【００５２】
したがって、基準鑑賞画像参照データを基準出力デバイスとは異なる出力デバイスに適した鑑賞画像参照データに関連付けて記録するので、ユーザは基準出力デバイスとは異なる出力デバイスに適した鑑賞画像参照データを当該出力デバイスに出力するなどして、処理対象の画像つまり関連付けて記録した拡張色域画像データを含むデータおよび基準レンダリング情報の選択等を行うことができる。また、ユーザ毎の環境で拡張色域画像データを含むデータが利用できない場合であっても、縮小画像データが対応する出力デバイスに出力して利用することが可能となる。
【００５３】
請求項１３に記載の発明のように、請求項１２に記載の発明において、
前記差分画像生成ステップでは、前記第１の鑑賞画像参照データと前記第２の鑑賞画像参照データとの差異を表す第３の差分画像データを生成し、
前記記録ステップでは、前記第３の差分画像データを前記第２の鑑賞画像参照データに関連付けて記録するのが好ましい。
【００５４】
なお、拡張色域画像データと基準鑑賞画像参照データとの差分データ、基準鑑賞画像参照データと第２の鑑賞画像参照データとの差分データを当該第２の鑑賞画像参照データのヘッダ部にタグ情報として記録するようにしても良い。
【００５５】
したがって、基準鑑賞画像参照データと第２の鑑賞画像参照データとの差分画像データを該第２の鑑賞画像参照データに関連付けて記録するので、基準鑑賞画像参照データのデータサイズを削減してユーザに提供することが可能となる。
【００５６】
請求項１４に記載の発明のように、請求項１〜６、８〜１３のうち何れか一項に記載の発明において、
前記第１の出力デバイスに対し、前記第１の鑑賞画像参照データが表す画像を印刷媒体に形成して第１のプリントを作成させるプリント作成ステップを含み、
前記プリント作成ステップでは、前記第１の出力デバイスに対し、前記第１の鑑賞画像参照データが表す画像に前記拡張色域画像データを含むデータ及び前記第１の適正化処理条件データを対応付けて前記第１のプリントを作成させるのが好ましい。
【００５７】
なお、レンダリング情報を、印刷媒体に形成する可視像と対応付けて当該印刷媒体にプリントしてユーザに提供するのが好ましい。
【００５８】
したがって、第１のプリントと、関連付けて記録する拡張色域画像データを含むデータおよび基準レンダリング情報とを対応付けてユーザに提供するので、ユーザは第１のプリントを観察して、自分の好みの傾向となるよう当該基準レンダリング情報を参考にレンダリング条件を設定することができる。
【００５９】
請求項１５に記載の発明のように、請求項１４に記載の発明において、
前記決定ステップでは、前記第１の適正化処理条件データとは、少なくとも１つの処理条件および／または処理順が異なる第３の適正化処理条件を決定し、
前記鑑賞画像参照データ生成ステップでは、前記拡張色域画像データを含むデータ及び前記第３の適正化処理条件データに基づいて第３の鑑賞画像参照データを生成し、
前記プリント作成ステップでは、前記第１の出力デバイスに対し、前記第３の鑑賞画像参照データが表す画像を印刷媒体に形成して第２のプリントを作成させるのが好ましい。
第３の鑑賞画像参照データを適宜強調するなどして、処理条件の違いによる画像への影響が識別し易いようにしても良い。
【００６０】
なお、レンダリング情報を印刷媒体に形成する可視像と対応付けて印刷媒体にプリントして、ユーザに提供するのが好ましい。
【００６１】
印刷媒体に記録するレンダリング情報は、同一あるいは異なるレンダリング情報との差異内容を表す情報と、印刷媒体に形成する可視像とに対応付けされて印刷媒体にプリントされるようにしても良い。例えば、プリントするレンダリング情報が第３の適正化処理条件データ（以下、比較レンダリング情報という。）であれば、基準レンダリング情報との差異がプリントされたり、異なる条件のみがプリントされるようにしても良い。
【００６２】
したがって、基準レンダリング情報のレンダリング条件と少なくとも１つの処理条件および／または処理順が異なるレンダリング条件に基づいて第３の鑑賞画像参照データ（以下、比較鑑賞画像参照データという。）を生成し、第２のプリントを作成してユーザに提供するので、ユーザは、第２のプリントを観察し、レンダリング条件および／または処理順の違いとプリントの仕上がりの傾向との関係を参考にして、自分の好みの傾向が反映されるようレンダリング条件を設定することができる。
【００６３】
請求項１６に記載の発明のように、請求項１５に記載の発明において、
前記プリント作成ステップでは、前記第１の出力デバイスに対し、前記第１の鑑賞画像参照データと前記第３の鑑賞画像参照データとの差異が表す画像を印刷媒体に形成して前記第２のプリントを作成させるのが好ましい。
差異画像は、適宜強調するなどして、その差異内容が識別し易いようにしても良い。
【００６４】
したがって、基準鑑賞画像参照データと比較鑑賞画像参照データとの差異に基づいて第２のプリントを作成してユーザに提供するので、ユーザは、第２のプリントを観察することによりレンダリング条件および／または処理順の違いとプリントの仕上がり具合との関係を容易に確認できるため、自分の好みの傾向が反映されるよう基準レンダリング情報および／または比較レンダリング情報を参考にてレンダリング条件を設定することができる。
【００６５】
請求項１７に記載の発明のように、請求項１５または１６に記載の発明において、
前記プリント作成ステップでは、前記第１の出力デバイスに対し、前記第１のプリントと前記第２のプリントとを同一印刷媒体に形成して当該第２のプリントを作成させるのが好ましい。
【００６６】
したがって、第１および第２のプリントを同一印刷媒体に形成してユーザに提供するので、ユーザは、各々対応する第１および第２のプリントを容易に比較観察することによりレンダリング条件および／または処理順の違いとプリントの仕上がり具合との関係を確認できるため、自分の好みの傾向が反映されるよう基準レンダリング情報および／または比較レンダリング情報を参考にレンダリング条件を設定することができる。
【００６７】
請求項１８に記載の発明は、請求項１５〜１７のうち何れか一項に記載の発明において、
前記プリント作成ステップでは、前記第１の出力デバイスに対し、前記第３の鑑賞画像参照データが表す画像を予め設定された縮小倍率に基づいて縮小して印刷媒体に形成することにより前記第２のプリントを作成させるのが好ましい。
【００６８】
したがって、印刷倍率を縮小して第２のプリントを作成するので、印刷媒体の単位面積当たりに多くの第２のプリントを作成可能であり、レンダリング条件および／または処理順がそれぞれ異なる複数の第２のプリントを同一印刷媒体に記録することなども可能となる。
【００６９】
また、ユーザは、各々対応する第１および第２のプリントを容易に比較観察することによりレンダリング条件および／または処理順の違いとプリントの仕上がりに及ぼす傾向との関係を確認できるので、自分の好みの傾向が反映されるよう基準レンダリング情報および／または比較レンダリング情報を参考にレンダリング条件を設定することができる。
【００７０】
また、基準レンダリング情報と比較レンダリング情報とにおけるレンダリング条件および／または処理順の違いが、ある程度広い範囲の色や輝度の仕上がりなどとして現れる場合にも本発明は有効である。
【００７１】
請求項１９に記載の発明のように、請求項１５〜１８のうち何れか一項に記載の発明において、
前記第３の鑑賞画像参照データが表す画像の一部をトリミングするトリミングステップを含み、
前記プリント作成ステップでは、前記第１の出力デバイスに対し、前記トリミングされた第３の鑑賞画像参照データを印刷媒体に形成し前記第２のプリントを作成させるのが好ましい。
【００７２】
したがって、画像の一部をトリミングして第２のプリントを作成するので、トリミングした部分を拡大印刷して第２のプリントを作成すると見易くなる。また、印刷倍率を変更しない場合、印刷媒体の単位面積当たりに多くの第２のプリントを作成できるので、レンダリング条件および／または処理順がそれぞれ異なる複数の第２のプリントを同一印刷媒体に記録することなども可能となる。
【００７３】
ユーザは、各々対応する第１および第２のプリントを容易に比較観察してレンダリング条件および／または処理順の違いとプリントの仕上がり具合との関係を確認できるため、自分の好みの傾向が反映されるよう基準レンダリング情報および／または比較レンダリング情報を参考にしてレンダリング条件を設定することができる。
【００７４】
トリミングする範囲は、基準レンダリング情報と比較レンダリング情報とのレンダリング条件および／または処理順の影響を反映する部位であるのが好ましく、画像中の人物などの主要被写体部位を含む範囲であるのがより好ましい。
【００７５】
請求項２０に記載の発明のように、請求項１〜１９のうち何れか一項に記載の発明において、
前記記録ステップでは、前記拡張色域画像データを含むデータ及び前記第１の適正化処理条件データを互いに関連付けてコンピュータが読み取れる携帯可能な記録媒体に記録するのが好ましい。
【００７６】
したがって、拡張色域画像データを含むデータおよび基準レンダリング情報を関連付けてコンピュータが読み取れる携帯可能な録媒体に記録してユーザに提供するので、ユーザは、自宅などの自分が使い慣れた環境で画像処理を行うことができる。
【００７７】
請求項２１に記載の発明のように、請求項１〜２０のうち何れか一項に記載の発明において、
前記記録ステップでは、拡張色域画像データを含むデータ及び前記第１の適正化処理条件データを互いに関連付けて通信回線に接続されたサーバに格納するのが好ましい。
【００７８】
したがって、通信網を介して拡張色域画像データを含むデータおよび基準レンダリング情報をユーザに提供するので、ユーザが店頭に出向く労や、郵送費などの出費や、時間的ロスなどを生じさせることがなく、また、時間的制約も無くなる。
【００７９】
請求項２２に記載の発明のように、請求項１〜２１のうち何れか一項に記載の発明において、
前記記録ステップでは、前記拡張色域画像データを含むデータ及び前記第１の適正化処理条件データを元にして、前記第４の適正化処理条件を取得するための適正化処理プログラムをコンピュータ読み取り可能な記録媒体に記録するのが好ましい。
【００８０】
ここで、プログラムの動作形態は単体で動作する画像処理プログラムであって良く、既存の画像処理ソフトウェアのプラグインソフトウェアであっても良い。また、一般的なアプリケーションソフトと同様に、処理オブジェクトをプリンタに出力し、ハードコピープリントを作成する機能を持つのが好ましい。
【００８１】
したがって、ユーザは、提供されるプログラムをコンピュータに実行させることにより、ユーザ自身で自分の好みの傾向となるように基準レンダリング情報を参考にレンダリング条件を設定することができる。
【００８２】
請求項２３に記載の発明のように、請求項２２に記載の発明において、
前記記録ステップでは、前記拡張色域画像データを含むデータ及び前記第４の適正化処理条件データに基づき前記第４の鑑賞画像参照データを生成して記録するための適正化処理プログラムを前記記録媒体に記録するのが好ましい。
【００８３】
したがって、ユーザは、その場で、生成した画像をプリンタに出力し、所望の仕上がりのプリントを作成することができる。また、記録した鑑賞画像参照データを用いて、後日プリント出力する出力デバイス、例えば、ユーザ自身のプリンタや画像処理サービス提供者のプリンタなどに出力して、所望の仕上がりのプリントを作成することができる。
【００８４】
また、本発明のレンダリング用の処理プログラム（レンダリング処理プログラムという）に、画像閲覧、印刷機能の他、画像データに注文情報を付帯し、通信網を介するなどして画像処理サービス提供者にサービス申し込みをする機能を付加しても良い。
【００８５】
鑑賞画像参照データを記録する場合には、上記したように、他の鑑賞画像参照データと関連付けて記録するのが好ましい。その場合、当該他の鑑賞画像参照データとの差分画像データを記録するようにしても良い。当該関連付けて記録する他の鑑賞画像参照データは、基準出力デバイスに適した基準鑑賞画像参照データであって良く、基準出力デバイス以外の出力デバイスに適した鑑賞画像参照データであっても良く、ディスプレイモニタでの出力に適したｓＲＧＢ画像データであるのがより好ましい。
【００８６】
さらに、このレンダリング処理プログラムに、新たに設定したレンダリング情報と鑑賞画像参照データとを関連付けて記録する処理を実行する機能を付加しても良いし、前述した基準レンダリング情報の記録方法と同様に、新たに設定したレンダリング情報を鑑賞画像参照データのタグ情報として記録しても良い。
【００８７】
請求項２４に記載の発明のように、請求項２３に記載の発明において、
前記記録ステップでは、前記第４の鑑賞画像参照データを、前記拡張色域画像データを含むデータおよび／または前記第１の適正化処理条件データに関連付けて記録する適正化処理プログラムを前記記録媒体に記録するのが好ましい。
【００８８】
しがって、ユーザは、提供されたレンダリング処理プログラムを実行することにより、ユーザ自身で自分の好みの傾向となるように基準レンダリング情報を参考にしてレンダリング条件を設定することができる。
【００８９】
請求項２５に記載の発明のように、請求項２２〜２４のうち何れか一項に記載の発明において、
前記記録ステップでは、前記第４の適正化処理条件データを、前記拡張色域画像データを含むデータおよび／または前記第１の適正化処理条件データに関連付けて記録する適正化処理プログラムを前記記録媒体に記録するのが好ましい。
【００９０】
したがって、ユーザ自身や、ユーザからデータ提供を受けた者（ユーザの家族、友人、知人、画像処理サービス提供者等）は、新たに設定したレンダリング情報をコンピュータが読み取れる携帯可能な記録媒体から読み出し、このレンダリング情報に基づいて鑑賞画像参照データを生成し、プリンタに出力することによってユーザの好みの仕上がりのプリントを作成することができる。または、新たに設定したレンダリング情報を参考にしてさらに異なるレンダリング条件を設定することもできる。
【００９１】
この場合、新たに設定したレンダリング情報を記録するファイルを個別に作成するようにしても良いし、関連付けて記録する画像ファイルのタグ情報として記録しても良い。
【００９２】
また、新たに設定したレンダリング情報を、他のレンダリング情報との差異内容を表す情報としても良い。例えば、基準レンダリング情報との差異を記録したり、異なる条件のみを記録するようにしても良い。
【００９３】
あるいは、新たに設定したレンダリング情報を基準レンダリング情報と置き換えて記録するようにしても良い。
【００９４】
請求項２６に記載の発明は、請求項１〜２５のうち何れか一項に記載の発明において、
前記取得ステップでは、撮像装置の装置特性を含むシーン参照生データから該装置特性を補正して標準化されたシーン参照画像データを前記拡張色域画像データとして取得し、
前記記録ステップでは、前記シーン参照画像データと前記第１の適正化処理条件データとを互いに関連付けて記録するのが好ましい。
【００９５】
したがって、基準レンダリング情報と標準化されたシーン参照画像データとを記録するので、当該標準化されたシーン参照画像データをユーザ環境で生成することなくプリントデバイスなどの多くの種類の出力デバイスに適した画像を生成可能となる。
【００９６】
また、上記課題を解決するために、請求項２７に記載の発明は、
原画像から出力デバイスのデバイス特性に適した画像データを取得するためのデータを記録する記録装置において、
前記原画像から拡張色域画像データを含むデータを取得する取得手段と、
第１の出力デバイスに関するデバイス特性データ、前記拡張色域画像データを含むデータから第１の鑑賞画像参照データを生成するための第１の適正化処理条件を決定する決定手段と、
前記拡張色域画像データを含むデータ及び前記第１の適正化処理条件データを互いに関連付けて記録する記録手段と、
を備えたことを特徴とする。
【００９７】
したがって、従来の画像処理サービスで提供されるｓＲＧＢ標準色空間において記録された画像は、ディスプレイモニタの表示色域に適合するように色域・輝度域が圧縮されており、プリントデバイスの色再現域にマッピングする場合に生じるグラデーションの不調、記録時の階調圧縮条件に起因する数々の不調等に対し十分な改善が困難な画像データであるのに対し、本発明では、原画像から得た拡張色域画像を記録するので、プリントデバイスなどの多くの種類の出力デバイスに適した画像を生成するために用いることができる。
【００９８】
さらに、拡張色域画像データから基準出力デバイスに適した基準鑑賞画像参照データを生成する第１の適正化処理条件を基準レンダリング情報として拡張色域画像データと関連付けて記録し、ユーザに提供するので、ユーザは基準レンダリング情報として提供されるレンダリング条件を参考にして容易に条件のパラメータを増減させる等してユーザの意図にあったユーザ好みのレンダリング条件の設定を行うことができる。当該ユーザ設定に基づいて拡張色域画像データにレンダリングを施して生成される鑑賞画像参照データをプリントデバイス等の出力デバイスに出力することにより、ユーザが所望とする仕上がりで高画質プリントの出力が可能となる。
【００９９】
請求項２８に記載の発明のように、請求項２７に記載の発明において、
前記記録手段は、
前記第１の適正化処理条件データを前記拡張色域画像データのタグ情報として記録するのが好ましい。
【０１００】
したがって、基準レンダリング情報を、拡張色域画像データのタグ情報（メタデータ）として記録するので、両情報の関連が失われる可能性が減少し、ユーザへの情報提供が安定して行える。
【０１０１】
請求項２９に記載の発明のように、請求項２７または２８に記載の発明において、
前記拡張色域画像データを含むデータと、前記第１又は他の適正化処理条件データとから、該拡張色域画像データよりデータサイズが小さくなるように前記出力デバイスに適した縮小画像データを生成する縮小画像データ生成手段を備え、
前記記録手段は、前記拡張色域画像データを含むデータおよび／または前記第１の適正化処理条件データを、前記縮小画像データに関連付けて記録するのが好ましい。
【０１０２】
したがって、出力デバイスに適した鑑賞画像参照データである縮小画像データを、拡張色域画像データを含むデータおよび／または基準レンダリング情報と関連付けて記録するので、ユーザは縮小画像データを出力デバイスに出力するなどして、処理対象の画像つまり関連付けて記録した拡張色域画像データを含むデータおよび基準レンダリング情報の選択などを行うことができる。また、ユーザ毎の環境で拡張色域画像データを含むデータが利用できない場合であっても、縮小画像データが対応する出力デバイスに出力して利用することが可能となる。
【０１０３】
また、基準レンダリング情報を縮小画像データのタグ情報（メタデータ）として記録するので、請求項１０と同様に情報の関連が失われる可能性が減少してユーザへの情報提供が安定して行える。
【０１０４】
なお、出力デバイスに適した鑑賞画像参照データは、基準出力デバイスに適した基準鑑賞画像参照データであって良く、基準出力デバイス以外の出力デバイスに適した鑑賞画像参照データであっても良い。基準出力デバイス以外の出力デバイスとしては、ディスプレイモニタが好適に用いられ、鑑賞画像参照データとしては、ｓＲＧＢ画像データやサムネイル画像等が好適に用いられる。
【０１０５】
請求項３０に記載の発明のように、請求項２９に記載の発明において、
前記拡張色域画像データと前記縮小画像データとの差異を表す第１の差分画像データを生成する差分画像データ生成手段を備え、
前記記録手段は、
前記第１の差分画像データを前記縮小画像データに関連付けて記録するのが好ましい。
【０１０６】
したがって、データサイズの小さい縮小画像データに関連付けて第１の差分画像データを記録するので、拡張色域画像データのデータ量を削減してユーザに提供することが可能となる。
【０１０７】
なお、縮小画像データは、基準出力デバイスに適した基準鑑賞画像参照データであって良く、基準出力デバイス以外の出力デバイスに適した鑑賞画像参照データであっても良く、ディスプレーモニタに適したｓＲＧＢ画像データであればさらに好適である。
【０１０８】
請求項３１に記載の発明のように、請求項２９または３０に記載の発明において、
前記記録手段は、
前記第１の差分画像データを前記縮小画像データのタグ情報として記録するのが好ましい。
【０１０９】
したがって、第１の差分画像データを縮小画像データのタグ情報（メタデータ）として記録するので、拡張色域画像データと縮小画像データとの関連が失われる可能性が減少し、ユーザへの情報を安定して提供できる。
【０１１０】
請求項３２に記載の発明のように、請求項２７〜３１のうち何れか一項に記載の発明において、
前記第１の出力デバイスが画像処理サービス提供者或いは他のプリントサービス提供者のプリンタであるのが好ましい。
【０１１１】
したがって、画像処理サービス提供者或いは他のプリントサービス提供者のプリンタを基準出力デバイスとして基準レンダリング情報を記録するので、ユーザは、画像処理サービス提供者或いは他のプリントサービス提供者のプリンタに適合した基準レンダリング情報を元にして自分好みの変更を画像データに施すことが可能となる。当該変更された画像データは、画像処理サービス提供者或いは他のプリントサービス提供者のプリンタからのプリント出力に適した画像データであり、そのデータを画像処理サービス提供者或いは他のプリントサービス提供者のプリンタで出力することにより、ユーザが行った変更が適正に反映された仕上がりの高画質プリントが得られる。
【０１１２】
なお、基準出力デバイスは、画像処理サービス提供者がユーザに画像処理サービスを提供する際に用いるプリンタであっても良いし、後日、ユーザが画像処理サービスを受けられるように、注文情報および／またはユーザ情報に基づいて直接立ち寄り易いサービス窓口、駅、コンビニエンスストア等に設置された無人受付端末あるいは通信網を介するなど間接的に利用しやすいフォトネットサービス等に対応してプリントを作成するための画像処理サービス提供者と同一または異なるプリントサービス提供者のプリンタを基準出力デバイスに設定しても良い。
【０１１３】
請求項３３に記載の発明のように、請求項２７〜３１のうち何れか一項に記載の発明において、
前記第１の出力デバイスが画像処理サービス提供者にサービスを依頼する依頼人のプリンタであるのが好ましい。
【０１１４】
したがって、ユーザが使用するプリンタを基準出力デバイスとして基準レンダリング情報を記録するので、ユーザは、自身が保有するプリンタに適合した基準レンダリング情報を元にして好みの変更を施すことができる。当該変更された画像データは、ユーザ自身のプリンタからのプリント出力に適した画像データであり、そのデータをユーザ自身のプリンタで出力することにより、ユーザの意図や好みが適正に反映された仕上がりの高画質プリントが得られる。
【０１１５】
請求項３４に記載の発明のように、請求項２７〜３３のうち何れか一項に記載の発明において、
指定された前記第１の出力デバイスを設定する出力デバイス設定手段を備えるのが好ましい。
【０１１６】
すなわち、画像処理サービス提供者と同一または異なるプリントサービス提供者のプリンタおよび／またはユーザが保有するプリンタ等、これから編集画像を出力する際に用いる出力デバイスがユーザにより画像処理サービス提供者に対して指定される。
【０１１７】
したがって、ユーザによりサービス提供者に対して指定される出力デバイスを基準出力デバイスとして基準レンダリング情報を記録するので、ユーザは、自分で指定した出力デバイスに適合した基準レンダリング情報を元にして自分好みの変更を施すことが可能となる。当該変更された画像データは、これから編集画像を出力する際に用いる出力デバイスに適した画像データとなっている。このため、当該編集後の画像データをプリンタにより出力すれば、ユーザの意図や好みが反映された仕上がりの高画質プリントが得られる。
【０１１８】
請求項３２〜３４に記載の発明のように、画像処理サービス提供者またはユーザにより設定されたレンダリング条件に基づいて生成された鑑賞画像参照データがプリンタに出力される際にユーザが所望とする仕上がりのプリントが得られるような当該レンダリング条件を得る情報を基準レンダリング情報として設定することも可能である。
【０１１９】
したがって、ユーザが所望とする仕上がりのプリントが得られた場合のレンダリング情報を基準レンダリング情報として記録するので、ユーザは、所望の仕上がりを得るための基準レンダリング情報を元にレンダリング条件を変更できるので、ユーザの意図や好みが反映されたより細かな調整が可能となる。
【０１２０】
請求項３５に記載の発明のように、請求項２７〜３４のうち何れか一項に記載の発明において、
前記第１の適正化処理条件に基づいて前記第１の鑑賞画像参照データを生成する鑑賞画像参照データ生成手段を備え、
前記記録手段は、
前記第１の鑑賞画像参照データを、前記拡張色域画像データを含むデータおよび／または前記第１の適正化処理条件データに関連付けて記録するのが好ましい。
【０１２１】
したがって、基準鑑賞画像参照データを、拡張色域画像データを含むデータおよび／または基準レンダリング情報に関連付けて記録するので、ユーザあるいはユーザから画像データを提供された第３者は、基準鑑賞画像参照データからそのままプリントを作成すことができる。そして、作成したプリントを観察して、好みのレンダリング条件を設定することもできる。
【０１２２】
請求項３６に記載の発明のように、請求項３５に記載の発明において、
前記記録手段は、
前記第１の適正化処理条件データを前記第１の鑑賞画像参照データのタグ情報として記録するのが好ましい。
【０１２３】
したがって、基準レンダリング情報を前記基準鑑賞画像参照データのタグ情報（メタデータ）として記録するので、基準レンダリング情報と基準鑑賞画像参照データとの関連が失われる可能性が減少し、ユーザへの情報提供が安定して行える。このことは基準レンダリング情報と対応する基準鑑賞画像参照データとを複数組記録する場合にも有効である。
【０１２４】
請求項３７に記載の発明のように、請求項３５または３６に記載の発明において、
前記差分画像データ生成手段は、
前記拡張色域画像データと前記第１の鑑賞画像参照データとの差異を表す第２の差分画像データを生成し、
前記記録手段は、
前記第２の差分画像データを前記第１の鑑賞画像参照データに関連付けて記録するのが好ましい。
【０１２５】
したがって、拡張色域画像データよりデータサイズの小さい基準鑑賞画像参照データと差分画像データとを記録するので、拡張色域画像データのデータ量を削減してユーザに提供することが可能となる。
【０１２６】
請求項３８に記載の発明のように、請求項３５〜３７のうち何れか一項に記載の発明において、
前記決定手段は、
前記第１の出力デバイスとは異なる第２の出力デバイスに関するデバイス特性データ、前記拡張色域画像データを含むデータに基づいて当該第２の出力デバイスに適した第２の鑑賞画像参照データを生成するための第２の適正化処理条件を決定し、
前記鑑賞画像参照データ生成手段は、
前記拡張色域画像データを含むデータおよび前記第２の適正化処理条件データに基づいて前記第２の鑑賞画像参照データを生成し、
前記記録手段は、
前記第１の鑑賞画像参照データを、前記第２の鑑賞画像参照データに関連付けて記録するのが好ましい。
【０１２７】
なお、基準出力デバイスとは異なる出力デバイスに適した鑑賞画像参照データは、基準出力デバイスを２つ以上設定した場合、任意の基準出力デバイスに適した基準鑑賞画像参照データであって良く、基準出力デバイス以外の出力デバイスに適した鑑賞画像参照データであっても良い。基準出力デバイス以外の出力デバイスとしては、ディスプレイモニタが好適に用いられ、鑑賞画像参照データとしては、ｓＲＧＢ画像データやサムネイル画像等が好適に用いられる。さらに、請求項３８〜４１に記載の少なくとも１つの出力デバイスに適した鑑賞画像参照データを共用することも可能である。
【０１２８】
したがって、基準鑑賞画像参照データを基準出力デバイスとは異なる出力デバイスに適した鑑賞画像参照データに関連付けて記録するので、ユーザは基準出力デバイスとは異なる出力デバイスに適した鑑賞画像参照データを当該出力デバイスに出力するなどして、処理対象の画像つまり関連付けて記録した拡張色域画像データを含むデータおよび基準レンダリング情報の選択等を行うことができる。また、ユーザ毎の環境で拡張色域画像データを含むデータが利用できない場合であっても、縮小画像データが対応する出力デバイスに出力して利用することが可能となる。
【０１２９】
請求項３９に記載の発明のように、請求項３８に記載の発明において、
前記差分画像生成手段は、
前記第１の鑑賞画像参照データと前記第２の鑑賞画像参照データとの差異を表す第３の差分画像データを生成し、
前記記録手段は、
前記第３の差分画像データを前記第２の鑑賞画像参照データに関連付けて記録するのが好ましい。
【０１３０】
なお、拡張色域画像データと基準鑑賞画像参照データとの差分データ、基準鑑賞画像参照データと第２の鑑賞画像参照データとの差分データを当該第２の鑑賞画像参照データのヘッダ部にタグ情報として記録するようにしても良い。
【０１３１】
したがって、基準鑑賞画像参照データと第２の鑑賞画像参照データとの差分画像データを該第２の鑑賞画像参照データに関連付けて記録するので、基準鑑賞画像参照データのデータサイズを削減してユーザに提供することが可能となる。
【０１３２】
請求項４０に記載の発明のように、請求項２７〜３２、３４〜３９のうち何れか一項に記載の発明において、
前記第１の出力デバイスに対し、前記第１の鑑賞画像参照データが表す画像を印刷媒体に形成して第１のプリントを作成させるプリント作成手段を備え、
前記プリント作成手段は、
前記第１の出力デバイスに対し、前記第１の鑑賞画像参照データが表す画像に前記拡張色域画像データを含むデータ及び前記第１の適正化処理条件データを対応付けて前記第１のプリントを作成させるのが好ましい。
【０１３３】
なお、レンダリング情報を、印刷媒体に形成する可視像と対応付けて当該印刷媒体にプリントしてユーザに提供するのが好ましい。
【０１３４】
したがって、第１のプリントと、関連付けて記録する拡張色域画像データを含むデータおよび基準レンダリング情報とを対応付けてユーザに提供するので、ユーザは第１のプリントを観察して、自分の好みの傾向となるよう当該基準レンダリング情報を参考にレンダリング条件を設定することができる。
【０１３５】
請求項４１に記載の発明のように、請求項４０に記載の発明において、
前記決定手段は、
前記第１の適正化処理条件データとは、少なくとも１つの処理条件および／または処理順が異なる第３の適正化処理条件を決定し、
前記鑑賞画像参照データ生成手段は、
前記拡張色域画像データを含むデータ及び前記第３の適正化処理条件データに基づいて第３の鑑賞画像参照データを生成し、
前記プリント作成手段は、
前記第１の出力デバイスに対し、前記第３の鑑賞画像参照データが表す画像を印刷媒体に形成して第２のプリントを作成させるのが好ましい。
【０１３６】
なお、レンダリング情報を印刷媒体に形成する可視像と対応付けて印刷媒体にプリントして、ユーザに提供するのが好ましい。
【０１３７】
印刷媒体に記録するレンダリング情報は、同一あるいは異なるレンダリング情報との差異内容を表す情報と、印刷媒体に形成する可視像とに対応付けされて印刷媒体にプリントされるようにしても良い。例えば、プリントするレンダリング情報が比較レンダリング情報であれば、基準レンダリング情報との差異がプリントされたり、異なる条件のみがプリントされるようにしても良い。
【０１３８】
したがって、基準レンダリング情報のレンダリング条件と少なくとも１つの処理条件および／または処理順が異なるレンダリング条件に基づいて比較鑑賞画像参照データを生成し、第２のプリントを作成してユーザに提供するので、ユーザは、第２のプリントを観察し、レンダリング条件および／または処理順の違いとプリントの仕上がりの傾向との関係を参考にして、自分の好みの傾向が反映されるようレンダリング条件を設定することができる。
【０１３９】
請求項４２に記載の発明のように、請求項４１に記載の発明において、
前記プリント作成手段は、
前記第１の出力デバイスに対し、前記第１の鑑賞画像参照データと前記第３の鑑賞画像参照データとの差異が表す画像を印刷媒体に形成して前記第２のプリントを作成させるのが好ましい。
【０１４０】
したがって、基準鑑賞画像参照データと比較鑑賞画像参照データとの差異に基づいて第２のプリントを作成してユーザに提供するので、ユーザは、第２のプリントを観察することによりレンダリング条件および／または処理順の違いとプリントの仕上がり具合との関係を容易に確認できるため、自分の好みの傾向が反映されるよう基準レンダリング情報および／または比較レンダリング情報を参考にてレンダリング条件を設定することができる。
【０１４１】
請求項４３に記載の発明のように、請求項４１または４２に記載の発明において、
前記プリント作成手段は、
前記第１の出力デバイスに対し、前記第１のプリントと前記第２のプリントとを同一印刷媒体に形成して当該第２のプリントを作成させるのが好ましい。
【０１４２】
したがって、第１および第２のプリントを同一印刷媒体に形成してユーザに提供するので、ユーザは、各々対応する第１および第２のプリントを容易に比較観察することによりレンダリング条件および／または処理順の違いとプリントの仕上がり具合との関係を確認できるため、自分の好みの傾向が反映されるよう基準レンダリング情報および／または比較レンダリング情報を参考にレンダリング条件を設定することができる。
【０１４３】
請求項４４に記載の発明は、請求項４１〜４３のうち何れか一項に記載の発明において、
前記プリント作成手段は、
前記第１の出力デバイスに対し、前記第３の鑑賞画像参照データが表す画像を予め設定された縮小倍率に基づいて縮小して印刷媒体に形成することにより前記第２のプリントを作成させのが好ましい。
【０１４４】
したがって、印刷倍率を縮小して第２のプリントを作成するので、印刷媒体の単位面積当たりに多くの第２のプリントを作成可能であり、レンダリング条件および／または処理順がそれぞれ異なる複数の第２のプリントを同一印刷媒体に記録することなども可能となる。
【０１４５】
また、ユーザは、各々対応する第１および第２のプリントを容易に比較観察することによりレンダリング条件および／または処理順の違いとプリントの仕上がりに及ぼす傾向との関係を確認できるので、自分の好みの傾向が反映されるよう基準レンダリング情報および／または比較レンダリング情報を参考にレンダリング条件を設定することができる。
【０１４６】
また、基準レンダリング情報と比較レンダリング情報とにおけるレンダリング条件および／または処理順の違いが、ある程度広い範囲の色や輝度の仕上がりなどとして現れる場合にも本発明は有効である。
【０１４７】
請求項４５に記載の発明のように、請求項４１〜４４のうち何れか一項に記載の発明において、
前記第３の鑑賞画像参照データが表す画像の一部をトリミングするトリミング手段を備え、
前記プリント作成手段は、
前記第１の出力デバイスに対し、前記トリミングされた第３の鑑賞画像参照データを印刷媒体に形成し前記第２のプリントを作成させるのが好ましい。
【０１４８】
したがって、画像の一部をトリミングして第２のプリントを作成するので、トリミングした部分を拡大印刷して第２のプリントを作成すると見易くなる。また、印刷倍率を変更しない場合、印刷媒体の単位面積当たりに多くの第２のプリントを作成できるので、レンダリング条件および／または処理順がそれぞれ異なる複数の第２のプリントを同一印刷媒体に記録することなども可能となる。
【０１４９】
ユーザは、各々対応する第１および第２のプリントを容易に比較観察してレンダリング条件および／または処理順の違いとプリントの仕上がり具合との関係を確認できるため、自分の好みの傾向が反映されるよう基準レンダリング情報および／または比較レンダリング情報を参考にしてレンダリング条件を設定することができる。
【０１５０】
トリミングする範囲は、基準レンダリング情報と比較レンダリング情報とのレンダリング条件および／または処理順の影響を反映する部位であるのが好ましく、画像中の人物などの主要被写体部位を含む範囲であるのがより好ましい。
【０１５１】
請求項４６に記載の発明のように、請求項２７〜４５のうち何れか一項に記載の発明において、
前記記録手段は、
前記拡張色域画像データを含むデータ及び前記第１の適正化処理条件データを互いに関連付けてコンピュータ読み取り可能な記録媒体に記録するのが好ましい。
【０１５２】
したがって、拡張色域画像データを含むデータおよび基準レンダリング情報を関連付けてコンピュータが読み取れる携帯可能な記録媒体に記録してユーザに提供するので、ユーザは、自宅などの自分が使い慣れた環境で画像処理を行うことができる。
【０１５３】
請求項４７に記載の発明のように、請求項２７〜４６のうち何れか一項に記載の発明において、
前記記録手段は、
前記拡張色域画像データを含むデータ及び前記第１の適正化処理条件データを互いに関連付けて通信回線に接続されたサーバに格納するのが好ましい。
【０１５４】
したがって、通信網を介して拡張色域画像データを含むデータおよび基準レンダリング情報をユーザに提供するので、ユーザが店頭に出向く労や、郵送費などの出費や、時間的ロスなどを生じさせることがなく、また、時間的制約も無くなる。
【０１５５】
請求項４８に記載の発明のように、請求項２７〜４７のうち何れか一項に記載の発明において、
前記記録手段は、
前記拡張色域画像データを含むデータ及び前記第１の適正化処理条件データを元にして、前記第４の適正化処理条件を取得するための適正化処理プログラムをコンピュータ読み取り可能な記録媒体に記録するのが好ましい。
【０１５６】
ここで、プログラムの動作形態は単体で動作する画像処理プログラムであって良く、既存の画像処理ソフトウェアのプラグインソフトウェアであっても良い。また、一般的なアプリケーションソフトと同様に、処理オブジェクトをプリンタに出力し、ハードコピープリントを作成する機能を持つのが好ましい。
【０１５７】
したがって、ユーザは、提供されるプログラムをコンピュータに実行させることにより、ユーザ自身で自分の好みの傾向となるように基準レンダリング情報を参考にレンダリング条件を設定することができる。
【０１５８】
請求項４９に記載の発明のように、請求項４８に記載の発明において、
前記記録手段は、
前記拡張色域画像データを含むデータ及び前記第４の適正化処理条件データに基づき前記第４の鑑賞画像参照データを生成して記録するための適正化処理プログラムを前記記録媒体に記録するのが好ましい。
【０１５９】
したがって、ユーザは、その場で、生成した画像をプリンタに出力し、所望の仕上がりのプリントを作成することができる。また、記録した鑑賞画像参照データを用いて、後日プリント出力する出力デバイス、例えば、ユーザ自身のプリンタや画像処理サービス提供者のプリンタなどに出力して、所望の仕上がりのプリントを作成することができる。
【０１６０】
また、本発明のレンダリング処理プログラムに、画像閲覧、印刷機能の他、画像データに注文情報を付帯し、通信網を介するなどして画像処理サービス提供者にサービス申し込みをする機能を付加しても良い。
【０１６１】
鑑賞画像参照データを記録する場合には、上記したように、他の鑑賞画像参照データと関連付けて記録するのが好ましい。その場合、当該他の鑑賞画像参照データとの差分画像データを記録するようにしても良い。当該関連付けて記録する他の鑑賞画像参照データは、基準出力デバイスに適した基準鑑賞画像参照データであって良く、基準出力デバイス以外の出力デバイスに適した鑑賞画像参照データであっても良く、ディスプレイモニタでの出力に適したｓＲＧＢ画像データであるのがより好ましい。
【０１６２】
さらに、このレンダリング処理プログラムに、新たに設定したレンダリング情報と鑑賞画像参照データとを関連付けて記録する処理を実行する機能を付加しても良いし、前述した基準レンダリング情報の記録方法と同様に、新たに設定したレンダリング情報を鑑賞画像参照データのタグ情報として記録しても良い。
【０１６３】
請求項５０に記載の発明のように、請求項４９に記載の発明において、
前記記録手段は、
前記第４の鑑賞画像参照データを、前記拡張色域画像データを含むデータおよび／または前記第１の適正化処理条件データに関連付けて記録するための適正化処理プログラムを前記記録媒体に記録するのが好ましい。
【０１６４】
しがって、ユーザは、提供されたレンダリング処理プログラムを実行することにより、ユーザ自身で自分の好みの傾向となるように基準レンダリング情報を参考にしてレンダリング条件を設定することができる。
【０１６５】
請求項５１に記載の発明のように、請求項４８〜５０のうち何れか一項に記載の発明において、
前記記録手段は、
前記第４の適正化処理条件データを、前記拡張色域画像データを含むデータおよび／または前記第１の適正化処理条件データに関連付けて記録するための適正化処理プログラムを前記記録媒体に記録するのが好ましい。
【０１６６】
したがって、ユーザ自身や、ユーザからデータ提供を受けた者（ユーザの家族、友人、知人、画像処理サービス提供者等）は、新たに設定したレンダリング情報をコンピュータが読み取れる携帯可能な記録媒体から読み出し、このレンダリング情報に基づいて鑑賞画像参照データを生成し、プリンタに出力することによってユーザの好みの仕上がりのプリントを作成することができる。または、新たに設定したレンダリング情報を参考にしてさらに異なるレンダリング条件を設定することもできる。
【０１６７】
この場合、新たに設定したレンダリング情報を記録するファイルを個別に作成するようにしても良いし、関連付けて記録する画像ファイルのタグ情報として記録しても良い。
【０１６８】
また、新たに設定したレンダリング情報を、他のレンダリング情報との差異内容を表す情報としても良い。例えば、基準レンダリング情報との差異を記録したり、異なる条件のみを記録するようにしても良い。
【０１６９】
あるいは、新たに設定したレンダリング情報を基準レンダリング情報と置き換えて記録するようにしても良い。
【０１７０】
請求項５２に記載の発明は、請求項２７〜５１のうち何れか一項に記載の発明において、
前記取得手段は、
撮像装置の装置特性を含むシーン参照生データから該装置特性を補正して標準化されたシーン参照画像データを前記拡張色域画像データとして取得し、
前記記録手段は、
前記シーン参照画像データと前記第１の適正化処理条件データとを互いに関連付けて記録するのが好ましい。
【０１７１】
したがって、基準レンダリング情報と標準化されたシーン参照画像データとを記録するので、当該標準化されたシーン参照画像データをユーザ環境で生成することなくプリントデバイスなどの多くの種類の出力デバイスに適した画像を生成可能となる。
【０１７２】
また、上記課題を解決するために、請求項５３に記載の発明は、
原画像から出力デバイスのデバイス特性に適した画像データを取得するためのデータを記録する記録装置を制御するコンピュータに、
前記原画像から拡張色域画像データを含むデータを取得する取得機能と、
第１の出力デバイスに関するデバイス特性データ、前記拡張色域画像データを含むデータから第１の鑑賞画像参照データを生成するための第１の適正化処理条件を決定する決定機能と、
前記拡張色域画像データを含むデータ及び前記第１の適正化処理条件データを互いに関連付けて記録する記録機能と、
を実現させる。
【０１７３】
したがって、従来の画像処理サービスで提供されるｓＲＧＢ標準色空間において記録された画像は、ディスプレイモニタの表示色域に適合するように色域・輝度域が圧縮されており、プリントデバイスの色再現域にマッピングする場合に生じるグラデーションの不調、記録時の階調圧縮条件に起因する数々の不調等に対し十分な改善が困難な画像データであるのに対し、本発明では、原画像から得た拡張色域画像を記録するので、プリントデバイスなどの多くの種類の出力デバイスに適した画像を生成するために用いることができる。
【０１７４】
さらに、拡張色域画像データから基準出力デバイスに適した基準鑑賞画像参照データを生成する第１の適正化処理条件を基準レンダリング情報として拡張色域画像データと関連付けて記録し、ユーザに提供するので、ユーザは基準レンダリング情報として提供されるレンダリング条件を参考にして容易に条件のパラメータを増減させる等してユーザの意図にあったユーザ好みのレンダリング条件の設定を行うことができる。当該ユーザ設定に基づいて拡張色域画像データにレンダリングを施して生成される鑑賞画像参照データをプリントデバイス等の出力デバイスに出力することにより、ユーザが所望とする仕上がりで高画質プリントの出力が可能となる。
【０１７５】
請求項５４に記載の発明のように、請求項５３に記載の発明において、
前記記録機能は、前記第１の適正化処理条件データを前記拡張色域画像データのタグ情報として記録する機能を含むのが好ましい。
【０１７６】
したがって、基準レンダリング情報を、拡張色域画像データのタグ情報（メタデータ）として記録するので、両情報の関連が失われる可能性が減少し、ユーザへの情報提供が安定して行える。
【０１７７】
請求項５５に記載の発明のように、請求項５３または５４に記載の発明において、
前記拡張色域画像データを含むデータと、前記第１又は他の適正化処理条件データとから、該拡張色域画像データよりデータサイズが小さくなるように前記出力デバイスに適した縮小画像データを生成する縮小画像データ生成機能を前記コンピュータに実現させ、
前記記録機能は、前記拡張色域画像データを含むデータおよび／または前記第１の適正化処理条件データを、前記縮小画像データに関連付けて記録する機能を含むのが好ましい。
【０１７８】
したがって、出力デバイスに適した鑑賞画像参照データである縮小画像データを、拡張色域画像データを含むデータおよび／または基準レンダリング情報と関連付けて記録するので、ユーザは縮小画像データを出力デバイスに出力するなどして、処理対象の画像つまり関連付けて記録した拡張色域画像データを含むデータおよび基準レンダリング情報の選択などを行うことができる。また、ユーザ毎の環境で拡張色域画像データを含むデータが利用できない場合であっても、縮小画像データが対応する出力デバイスに出力して利用することが可能となる。
【０１７９】
また、基準レンダリング情報を縮小画像データのタグ情報（メタデータ）として記録するので、請求項１０と同様に情報の関連が失われる可能性が減少してユーザへの情報提供が安定して行える。
【０１８０】
なお、出力デバイスに適した鑑賞画像参照データは、基準出力デバイスに適した基準鑑賞画像参照データであって良く、基準出力デバイス以外の出力デバイスに適した鑑賞画像参照データであっても良い。基準出力デバイス以外の出力デバイスとしては、ディスプレイモニタが好適に用いられ、鑑賞画像参照データとしては、ｓＲＧＢ画像データやサムネイル画像等が好適に用いられる。
【０１８１】
請求項５６に記載の発明のように、請求項５５に記載の発明において、
前記拡張色域画像データと前記縮小画像データとの差異を表す第１の差分画像データを生成する差分画像データ生成機能を前記コンピュータに実現させ、
前記記録機能は、前記第１の差分画像データを前記縮小画像データに関連付けて記録する機能を含むのが好ましい。
【０１８２】
したがって、データサイズの小さい縮小画像データに関連付けて第１の差分画像データを記録するので、拡張色域画像データのデータ量を削減してユーザに提供することが可能となる。
【０１８３】
なお、縮小画像データは、基準出力デバイスに適した基準鑑賞画像参照データであって良く、基準出力デバイス以外の出力デバイスに適した鑑賞画像参照データであっても良く、ディスプレーモニタに適したｓＲＧＢ画像データであればさらに好適である。
【０１８４】
請求項５７に記載の発明のように、請求項５５または５６に記載の発明において、
前記記録機能は、前記第１の差分画像データを前記縮小画像データのタグ情報として記録する機能を含むのが好ましい。
【０１８５】
したがって、第１の差分画像データを縮小画像データのタグ情報（メタデータ）として記録するので、拡張色域画像データと縮小画像データとの関連が失われる可能性が減少し、ユーザへの情報を安定して提供できる。
【０１８６】
請求項５８に記載の発明のように、請求項５３〜５７のうち何れか一項に記載の発明において、
前記第１の出力デバイスが画像処理サービス提供者或いは他のプリントサービス提供者のプリンタであるのが好ましい。
【０１８７】
したがって、画像処理サービス提供者或いは他のプリントサービス提供者のプリンタを基準出力デバイスとして基準レンダリング情報を記録するので、ユーザは、画像処理サービス提供者或いは他のプリントサービス提供者のプリンタに適合した基準レンダリング情報を元にして自分好みの変更を画像データに施すことが可能となる。当該変更された画像データは、画像処理サービス提供者或いは他のプリントサービス提供者のプリンタからのプリント出力に適した画像データであり、そのデータを画像処理サービス提供者或いは他のプリントサービス提供者のプリンタで出力することにより、ユーザが行った変更が適正に反映された仕上がりの高画質プリントが得られる。
【０１８８】
なお、基準出力デバイスは、画像処理サービス提供者がユーザに画像処理サービスを提供する際に用いるプリンタであっても良いし、後日、ユーザが画像処理サービスを受けられるように、注文情報および／またはユーザ情報に基づいて直接立ち寄り易いサービス窓口、駅、コンビニエンスストア等に設置された無人受付端末あるいは通信網を介するなど間接的に利用しやすいフォトネットサービス等に対応してプリントを作成するための画像処理サービス提供者と同一または異なるプリントサービス提供者のプリンタを基準出力デバイスに設定しても良い。
【０１８９】
請求項５９に記載の発明のように、請求項５３〜５７のうち何れか一項に記載の発明において、
前記第１の出力デバイスが画像処理サービス提供者にサービスを依頼する依頼人のプリンタであるのが好ましい。
【０１９０】
したがって、ユーザが使用するプリンタを基準出力デバイスとして基準レンダリング情報を記録するので、ユーザは、自身が保有するプリンタに適合した基準レンダリング情報を元にして好みの変更を施すことができる。当該変更された画像データは、ユーザ自身のプリンタからのプリント出力に適した画像データであり、そのデータをユーザ自身のプリンタで出力することにより、ユーザの意図や好みが適正に反映された仕上がりの高画質プリントが得られる。
【０１９１】
請求項６０に記載の発明のように、請求項５３〜５９のうち何れか一項に記載の発明において、
指定された前記第１の出力デバイスを設定する出力デバイス設定機能を前記コンピュータに実現させるのが好ましい。
【０１９２】
すなわち、画像処理サービス提供者と同一または異なるプリントサービス提供者のプリンタおよび／またはユーザが保有するプリンタ等、これから編集画像を出力する際に用いる出力デバイスがユーザにより画像処理サービス提供者に対して指定される。
【０１９３】
したがって、ユーザによりサービス提供者に対して指定される出力デバイスを基準出力デバイスとして基準レンダリング情報を記録するので、ユーザは、自分で指定した出力デバイスに適合した基準レンダリング情報を元にして自分好みの変更を施すことが可能となる。当該変更された画像データは、これから編集画像を出力する際に用いる出力デバイスに適した画像データとなっている。このため、当該編集後の画像データをプリンタにより出力すれば、ユーザの意図や好みが反映された仕上がりの高画質プリントが得られる。
【０１９４】
請求項５８〜６０に記載の発明のように、画像処理サービス提供者またはユーザにより設定されたレンダリング条件に基づいて生成された鑑賞画像参照データがプリンタに出力される際にユーザが所望とする仕上がりのプリントが得られるような当該レンダリング条件を得る情報を基準レンダリング情報として設定することも可能である。
【０１９５】
したがって、ユーザが所望とする仕上がりのプリントが得られた場合のレンダリング情報を基準レンダリング情報として記録するので、ユーザは、所望の仕上がりを得るための基準レンダリング情報を元にレンダリング条件を変更できるので、ユーザの意図や好みが反映されたより細かな調整が可能となる。
【０１９６】
請求項６１に記載の発明のように、請求項５３〜６０のうち何れか一項に記載の発明において、
前記第１の適正化処理条件に基づいて前記第１の鑑賞画像参照データを生成する鑑賞画像参照データ生成機能を前記コンピュータに実現させ、
前記記録機能は、前記第１の鑑賞画像参照データを、前記拡張色域画像データを含むデータおよび／または前記第１の適正化処理条件データに関連付けて記録する機能を含むのが好ましい。
【０１９７】
したがって、基準鑑賞画像参照データを、拡張色域画像データを含むデータおよび／または基準レンダリング情報に関連付けて記録するので、ユーザあるいはユーザから画像データを提供された第３者は、基準鑑賞画像参照データからそのままプリントを作成すことができる。そして、作成したプリントを観察して、好みのレンダリング条件を設定することもできる。
【０１９８】
請求項６２に記載の発明のように、請求項６１に記載の発明において、
前記記録機能は、前記第１の適正化処理条件データを前記第１の鑑賞画像参照データのタグ情報として記録する機能を含むのが好ましい。
【０１９９】
したがって、基準レンダリング情報を前記基準鑑賞画像参照データのタグ情報（メタデータ）として記録するので、基準レンダリング情報と基準鑑賞画像参照データとの関連が失われる可能性が減少し、ユーザへの情報提供が安定して行える。このことは基準レンダリング情報と対応する基準鑑賞画像参照データとを複数組記録する場合にも有効である。
【０２００】
請求項６３に記載の発明のように、請求項６１または６２に記載の発明において、
前記差分画像データ生成機能は、前記拡張色域画像データと前記第１の鑑賞画像参照データとの差異を表す第２の差分画像データを生成する機能を含み、
前記記録機能は、前記第２の差分画像データを前記第１の鑑賞画像参照データに関連付けて記録する機能を含むのが好ましい。
【０２０１】
したがって、拡張色域画像データよりデータサイズの小さい基準鑑賞画像参照データと差分画像データとを記録するので、拡張色域画像データのデータ量を削減してユーザに提供することが可能となる。
【０２０２】
請求項６４に記載の発明のように、請求項６１〜６３のうち何れか一項に記載の発明において、
前記決定機能は、前記第１の出力デバイスとは異なる第２の出力デバイスに関するデバイス特性データ、前記拡張色域画像データを含むデータに基づいて当該第２の出力デバイスに適した第２の鑑賞画像参照データを生成するための第２の適正化処理条件を決定する機能を含み、
前記鑑賞画像参照データ生成機能は、前記拡張色域画像データを含むデータおよび前記第２の適正化処理条件データに基づいて前記第２の鑑賞画像参照データを生成する機能を含み、
前記記録機能は、前記第１の鑑賞画像参照データを、前記第２の鑑賞画像参照データに関連付けて記録する機能を含むのが好ましい。
【０２０３】
なお、基準出力デバイスとは異なる出力デバイスに適した鑑賞画像参照データは、基準出力デバイスを２つ以上設定した場合、任意の基準出力デバイスに適した基準鑑賞画像参照データであって良く、基準出力デバイス以外の出力デバイスに適した鑑賞画像参照データであっても良い。基準出力デバイス以外の出力デバイスとしては、ディスプレイモニタが好適に用いられ、鑑賞画像参照データとしては、ｓＲＧＢ画像データやサムネイル画像等が好適に用いられる。さらに、請求項６５〜６８に記載の少なくとも１つの出力デバイスに適した鑑賞画像参照データを共用することも可能である。
【０２０４】
したがって、基準鑑賞画像参照データを基準出力デバイスとは異なる出力デバイスに適した鑑賞画像参照データに関連付けて記録するので、ユーザは基準出力デバイスとは異なる出力デバイスに適した鑑賞画像参照データを当該出力デバイスに出力するなどして、処理対象の画像つまり関連付けて記録した拡張色域画像データを含むデータおよび基準レンダリング情報の選択等を行うことができる。また、ユーザ毎の環境で拡張色域画像データを含むデータが利用できない場合であっても、縮小画像データが対応する出力デバイスに出力して利用することが可能となる。
【０２０５】
請求項６５に記載の発明のように、請求項６４に記載の発明において、
前記差分画像生成機能は、前記第１の鑑賞画像参照データと前記第２の鑑賞画像参照データとの差異を表す第３の差分画像データを生成する機能を含み、
前記記録機能は、前記第３の差分画像データを前記第２の鑑賞画像参照データに関連付けて記録する機能を含むのが好ましい。
【０２０６】
なお、拡張色域画像データと基準鑑賞画像参照データとの差分データ、基準鑑賞画像参照データと第２の鑑賞画像参照データとの差分データを当該第２の鑑賞画像参照データのヘッダ部にタグ情報として記録するようにしても良い。
【０２０７】
したがって、基準鑑賞画像参照データと第２の鑑賞画像参照データとの差分画像データを該第２の鑑賞画像参照データに関連付けて記録するので、基準鑑賞画像参照データのデータサイズを削減してユーザに提供することが可能となる。
【０２０８】
請求項６６に記載の発明のように、請求項５３〜５８、６０〜６５のうち何れか一項に記載の発明において、
前記第１の出力デバイスに対し、前記第１の鑑賞画像参照データが表す画像を印刷媒体に形成して第１のプリントを作成させるプリント作成機能を前記コンピュータに実現させ、
前記プリント作成機能は、前記第１の出力デバイスに対し、前記第１の鑑賞画像参照データが表す画像に前記拡張色域画像データを含むデータ及び前記第１の適正化処理条件データを対応付けて前記第１のプリントを作成させる機能を含むのが好ましい。
【０２０９】
なお、レンダリング情報を、印刷媒体に形成する可視像と対応付けて当該印刷媒体にプリントしてユーザに提供するのが好ましい。
【０２１０】
したがって、第１のプリントと、関連付けて記録する拡張色域画像データを含むデータおよび基準レンダリング情報とを対応付けてユーザに提供するので、ユーザは第１のプリントを観察して、自分の好みの傾向となるよう当該基準レンダリング情報を参考にレンダリング条件を設定することができる。
【０２１１】
請求項６７に記載の発明のように、請求項６６に記載の発明において、
前記決定機能は、前記第１の適正化処理条件データとは、少なくとも１つの処理条件および／または処理順が異なる第３の適正化処理条件を決定する機能を含み、
前記鑑賞画像参照データ生成機能は、前記拡張色域画像データを含むデータ及び前記第３の適正化処理条件データに基づいて第３の鑑賞画像参照データを生成する機能を含み、
前記プリント作成機能は、前記第１の出力デバイスに対し、前記第３の鑑賞画像参照データが表す画像を印刷媒体に形成して第２のプリントを作成させる機能を含むのが好ましい。
【０２１２】
なお、レンダリング情報を印刷媒体に形成する可視像と対応付けて印刷媒体にプリントして、ユーザに提供するのが好ましい。
【０２１３】
印刷媒体に記録するレンダリング情報は、同一あるいは異なるレンダリング情報との差異内容を表す情報と、印刷媒体に形成する可視像とに対応付けされて印刷媒体にプリントされるようにしても良い。例えば、プリントするレンダリング情報が比較レンダリング情報であれば、基準レンダリング情報との差異がプリントされたり、異なる条件のみがプリントされるようにしても良い。
【０２１４】
したがって、基準レンダリング情報のレンダリング条件と少なくとも１つの処理条件および／または処理順が異なるレンダリング条件に基づいて比較鑑賞画像参照データを生成し、第２のプリントを作成してユーザに提供するので、ユーザは、第２のプリントを観察し、レンダリング条件および／または処理順の違いとプリントの仕上がりの傾向との関係を参考にして、自分の好みの傾向が反映されるようレンダリング条件を設定することができる。
【０２１５】
請求項６８に記載の発明のように、請求項６７に記載の発明において、
前記プリント作成機能は、
前記第１の出力デバイスに対し、前記第１の鑑賞画像参照データと前記第３の鑑賞画像参照データとの差異が表す画像を印刷媒体に形成して前記第２のプリントを作成させる機能を含むのが好ましい。
【０２１６】
したがって、基準鑑賞画像参照データと比較鑑賞画像参照データとの差異に基づいて第２のプリントを作成してユーザに提供するので、ユーザは、第２のプリントを観察することによりレンダリング条件および／または処理順の違いとプリントの仕上がり具合との関係を容易に確認できるため、自分の好みの傾向が反映されるよう基準レンダリング情報および／または比較レンダリング情報を参考にてレンダリング条件を設定することができる。
【０２１７】
請求項６９に記載の発明のように、請求項６７または６８に記載の発明において、
前記プリント作成機能は、前記第１の出力デバイスに対し、前記第１のプリントと前記第２のプリントとを同一印刷媒体に形成して当該第２のプリントを作成させる機能を含むのが好ましい。
【０２１８】
したがって、第１および第２のプリントを同一印刷媒体に形成してユーザに提供するので、ユーザは、各々対応する第１および第２のプリントを容易に比較観察することによりレンダリング条件および／または処理順の違いとプリントの仕上がり具合との関係を確認できるため、自分の好みの傾向が反映されるよう基準レンダリング情報および／または比較レンダリング情報を参考にレンダリング条件を設定することができる。
【０２１９】
請求項７０に記載の発明は、請求項６７〜６９のうち何れか一項に記載の発明において、
前記プリント作成機能は、前記第１の出力デバイスに対し、前記第３の鑑賞画像参照データが表す画像を予め設定された縮小倍率に基づいて縮小して印刷媒体に形成することにより前記第２のプリントを作成させる機能を含むのが好ましい。
【０２２０】
したがって、印刷倍率を縮小して第２のプリントを作成するので、印刷媒体の単位面積当たりに多くの第２のプリントを作成可能であり、レンダリング条件および／または処理順がそれぞれ異なる複数の第２のプリントを同一印刷媒体に記録することなども可能となる。
【０２２１】
また、ユーザは、各々対応する第１および第２のプリントを容易に比較観察することによりレンダリング条件および／または処理順の違いとプリントの仕上がりに及ぼす傾向との関係を確認できるので、自分の好みの傾向が反映されるよう基準レンダリング情報および／または比較レンダリング情報を参考にレンダリング条件を設定することができる。
【０２２２】
また、基準レンダリング情報と比較レンダリング情報とにおけるレンダリング条件および／または処理順の違いが、ある程度広い範囲の色や輝度の仕上がりなどとして現れる場合にも本発明は有効である。
【０２２３】
請求項７１に記載の発明のように、請求項６７〜７０のうち何れか一項に記載の発明において、
前記第３の鑑賞画像参照データが表す画像の一部をトリミングするトリミング機能を前記コンピュータに実現させ、
前記プリント作成機能は、前記第１の出力デバイスに対し、前記トリミングされた第３の鑑賞画像参照データを印刷媒体に形成し前記第２のプリントを作成させる機能を含むのが好ましい。
【０２２４】
したがって、画像の一部をトリミングして第２のプリントを作成するので、トリミングした部分を拡大印刷して第２のプリントを作成すると見易くなる。また、印刷倍率を変更しない場合、印刷媒体の単位面積当たりに多くの第２のプリントを作成できるので、レンダリング条件および／または処理順がそれぞれ異なる複数の第２のプリントを同一印刷媒体に記録することなども可能となる。
【０２２５】
ユーザは、各々対応する第１および第２のプリントを容易に比較観察してレンダリング条件および／または処理順の違いとプリントの仕上がり具合との関係を確認できるため、自分の好みの傾向が反映されるよう基準レンダリング情報および／または比較レンダリング情報を参考にしてレンダリング条件を設定することができる。
【０２２６】
トリミングする範囲は、基準レンダリング情報と比較レンダリング情報とのレンダリング条件および／または処理順の影響を反映する部位であるのが好ましく、画像中の人物などの主要被写体部位を含む範囲であるのがより好ましい。
【０２２７】
請求項７２に記載の発明のように、請求項５３〜７１のうち何れか一項に記載の発明において、
前記記録機能は、前記拡張色域画像データを含むデータ及び前記第１の適正化処理条件データを互いに関連付けてコンピュータ読み取り可能な記録媒体に記録する機能を含むのが好ましい。
【０２２８】
したがって、拡張色域画像データを含むデータおよび基準レンダリング情報を関連付けてコンピュータが読み取れる携帯可能な記録媒体に記録してユーザに提供するので、ユーザは、自宅などの自分が使い慣れた環境で画像処理を行うことができる。
【０２２９】
請求項７３に記載の発明のように、請求項５３〜７２のうち何れか一項に記載の発明において、
前記記録機能は、前記拡張色域画像データを含むデータ及び前記第１の適正化処理条件データを互いに関連付けて通信回線に接続されたサーバに格納する機能を含むのが好ましい。
【０２３０】
したがって、通信網を介して拡張色域画像データを含むデータおよび基準レンダリング情報をユーザに提供するので、ユーザが店頭に出向く労や、郵送費などの出費や、時間的ロスなどを生じさせることがなく、また、時間的制約も無くなる。
【０２３１】
請求項７４に記載の発明のように、請求項５３〜７３のうち何れか一項に記載の発明において、
前記記録機能は、前記拡張色域画像データを含むデータ及び前記第１の適正化処理条件データを元にして、前記第４の適正化処理条件を取得するための適正化処理プログラムをコンピュータ読み取り可能な記録媒体に記録する機能を含むのが好ましい。
【０２３２】
ここで、プログラムの動作形態は単体で動作する画像処理プログラムであって良く、既存の画像処理ソフトウェアのプラグインソフトウェアであっても良い。また、一般的なアプリケーションソフトと同様に、処理オブジェクトをプリンタに出力し、ハードコピープリントを作成する機能を持つのが好ましい。
【０２３３】
したがって、ユーザは、提供されるプログラムをコンピュータに実行させることにより、ユーザ自身で自分の好みの傾向となるように基準レンダリング情報を参考にレンダリング条件を設定することができる。
【０２３４】
請求項７５に記載の発明のように、請求項７４に記載の発明において、
前記記録機能は、前記拡張色域画像データを含むデータ及び前記第４の適正化処理条件データに基づき前記第４の鑑賞画像参照データを生成して記録するための適正化処理プログラムを前記記録媒体に記録する機能を含むのが好ましい。
【０２３５】
したがって、ユーザは、その場で、生成した画像をプリンタに出力し、所望の仕上がりのプリントを作成することができる。また、記録した鑑賞画像参照データを用いて、後日プリント出力する出力デバイス、例えば、ユーザ自身のプリンタや画像処理サービス提供者のプリンタなどに出力して、所望の仕上がりのプリントを作成することができる。
【０２３６】
また、本発明のレンダリング処理プログラムに、画像閲覧、印刷機能の他、画像データに注文情報を付帯し、通信網を介するなどして画像処理サービス提供者にサービス申し込みをする機能を付加しても良い。
【０２３７】
鑑賞画像参照データを記録する場合には、上記したように、他の鑑賞画像参照データと関連付けて記録するのが好ましい。その場合、当該他の鑑賞画像参照データとの差分画像データを記録するようにしても良い。当該関連付けて記録する他の鑑賞画像参照データは、基準出力デバイスに適した基準鑑賞画像参照データであって良く、基準出力デバイス以外の出力デバイスに適した鑑賞画像参照データであっても良く、ディスプレイモニタでの出力に適したｓＲＧＢ画像データであるのがより好ましい。
【０２３８】
さらに、このレンダリング処理プログラムに、新たに設定したレンダリング情報と鑑賞画像参照データとを関連付けて記録する処理を実行する機能を付加しても良いし、前述した基準レンダリング情報の記録方法と同様に、新たに設定したレンダリング情報を鑑賞画像参照データのタグ情報として記録しても良い。
【０２３９】
請求項７６に記載の発明のように、請求項７５に記載の発明において、
前記記録機能は、前記第４の鑑賞画像参照データを、前記拡張色域画像データを含むデータおよび／または前記第１の適正化処理条件データに関連付けて記録するための適正化処理プログラムを前記記録媒体に記録する機能を含むのが好ましい。
【０２４０】
しがって、ユーザは、提供されたレンダリング処理プログラムを実行することにより、ユーザ自身で自分の好みの傾向となるように基準レンダリング情報を参考にしてレンダリング条件を設定することができる。
【０２４１】
請求項７７に記載の発明のように、請求項７４〜７６のうち何れか一項に記載の発明において、
前記記録機能は、前記第４の適正化処理条件データを、前記拡張色域画像データを含むデータおよび／または前記第１の適正化処理条件データに関連付けて記録するための適正化処理プログラムを前記記録媒体に記録する機能を含むのが好ましい。
【０２４２】
したがって、ユーザ自身や、ユーザからデータ提供を受けた者（ユーザの家族、友人、知人、画像処理サービス提供者等）は、新たに設定したレンダリング情報をコンピュータが読み取れる携帯可能な記録媒体から読み出し、このレンダリング情報に基づいて鑑賞画像参照データを生成し、プリンタに出力することによってユーザの好みの仕上がりのプリントを作成することができる。または、新たに設定したレンダリング情報を参考にしてさらに異なるレンダリング条件を設定することもできる。
【０２４３】
この場合、新たに設定したレンダリング情報を記録するファイルを個別に作成するようにしても良いし、関連付けて記録する画像ファイルのタグ情報として記録しても良い。
【０２４４】
また、新たに設定したレンダリング情報を、他のレンダリング情報との差異内容を表す情報としても良い。例えば、基準レンダリング情報との差異を記録したり、異なる条件のみを記録するようにしても良い。
【０２４５】
あるいは、新たに設定したレンダリング情報を基準レンダリング情報と置き換えて記録するようにしても良い。
【０２４６】
請求項７８に記載の発明は、請求項５３〜７７のうち何れか一項に記載の発明において、
前記取得機能は、撮像装置の装置特性を含むシーン参照生データから該装置特性を補正して標準化されたシーン参照画像データを前記拡張色域画像データとして取得し、
前記記録機能は、前記シーン参照画像データと前記第１の適正化処理条件データとを互いに関連付けて記録するのが好ましい。
【０２４７】
したがって、基準レンダリング情報と標準化されたシーン参照画像データとを記録するので、当該標準化されたシーン参照画像データをユーザ環境で生成することなくプリントデバイスなどの多くの種類の出力デバイスに適した画像を生成可能となる。
【０２４８】
特許請求の範囲に記載の用語の意味付け：
「原画像」とは、本発明の画像データ提供方法を用いた画像処理サービスにおいて、当該画像処理サービスをユーザに提供する際に、ユーザから手渡し、郵送または通信手段を介してサービス提供者に受け渡される画像や画像処理サービス提供者がユーザを撮影するなどして得られた画像であって、画像処理サービスの対象となる画像である。この画像は、出力デバイスの色域よりも広いあるいは異なる色域を有する画像であり、好ましくは、出力デバイスの色域よりも広い色域を有する画像である。
例えば、ユーザや画像処理サービス提供者がカメラで撮影した画像やＣＧコンテンツ等であり、好ましくは、ユーザが撮影した写真フィルムあるいはデジタルカメラで撮影した画像である。
【０２４９】
「出力デバイス」とは、ＣＲＴ、液晶ディスプレイ、プラズマディスプレイ等の表示デバイス、銀塩印画紙、インクジェットプリンタ用紙、サーマルプリンタ用紙等の出力媒体に対するハードコピー画像作成に用いる印刷デバイス等である。
【０２５０】
「鑑賞画像参照データ」とは、前記出力デバイスの画像出力に用いるデジタル画像データを意味する。ＣＲＴ、液晶、プラズマディスプレイ等の表示用の出力デバイスおよび銀塩印画紙、インクジェットプリンタ用紙、サーマルプリンタ用紙等の出力媒体において、適正な画像が得られるよう、後述のレンダリングが施されている。
【０２５１】
「適正化処理」（レンダリング）とは、ＣＲＴ、液晶ディスプレイ、プラズマディスプレイ等の表示用の出力デバイスや、銀塩印画紙、インクジェットプリンタ用紙、サーマルプリンタ用紙等の出力媒体において適正な画像を得る為の処理である。レンダリングは、例えばｓＲＧＢ規格に準拠したＣＲＴディスプレイモニタに表示することを前提とした場合、ｓＲＧＢ規格の色域内で適正な色再現を得るための処理であり、銀塩印画紙への出力を前提とした場合、銀塩印画紙の色域内で適正な色再現を得るための処理である。また前記色域の圧縮以外にも、１６ｂｉｔから８ｂｉｔへの階調圧縮、出力画素数の低減および出力デバイスの出力特性（ＬＵＴ）への対応処理等もレンダリングに含まれる。さらにこの場合、ノイズ抑制、鮮鋭化、カラーバランス調整、彩度調整あるいは覆い焼き処理等の画像処理が行われる。
【０２５２】
「拡張色域画像」とは、ユーザから画像処理サービス提供者に受け渡される画像、またはサービス提供者がユーザを撮影するなどして得られる前記原画像から得られる画像であり、出力デバイスの色域および輝度ダイナミックレンジよりも広いあるいは異なる色域および輝度ダイナミックレンジを有する画像であり、好ましくは、出力デバイスの色域および輝度ダイナミックレンジよりも広い色域および輝度ダイナミックレンジを有する画像であり、出力デバイスで出力するために必要な画像情報以外の情報も保持した状態の次のような画像情報である。
【０２５３】
すなわち、拡張色域画像は、出力デバイスの色域および輝度ダイナミックレンジよりも広いあるいは異なる色域および輝度ダイナミックレンジを有する画像を取得する撮像装置により得られる画像や、出力デバイスの色域および輝度ダイナミックレンジよりも広いあるいは異なる色域および輝度ダイナミックレンジを有するＣＧコンテンツ等であり、好ましくは、出力デバイスの色域および輝度ダイナミックレンジよりも広い色域および輝度ダイナミックレンジを有する画像を取得する撮像装置により得られる画像や、出力デバイスの色域および輝度ダイナミックレンジよりも広い色域および輝度ダイナミックレンジを有するＣＧコンテンツ等であり、より好ましくは、出力デバイスの色域及び輝度ダイナミックレンジよりも広い色域および輝度ダイナミックレンジを有する画像を取得する撮像装置により得られる画像である。
【０２５４】
この拡張色域画像は、例えば、前記原画像が撮影済み写真フィルムの場合には必要に応じて所定の現像処理が行われた後にフィルムスキャナの走査によって得られ、前記原画像がデジタルカメラによって撮影された画像あるいはＣＧコンテンツ等の場合には原画像データから抽出されて必要に応じて所定の処理が施されて得られる。
【０２５５】
「拡張色域画像データを含むデータ」とは、画像情報として、前記拡張色域画像に加えて、該拡張色域画像に関連する情報を取得し得ることを意味する。拡張色域画像が、後述する標準化されたシーン参照画像データと異なる場合、得られた拡張色域画像から標準化されたシーン参照画像データを生成する処理を施す際に用いる補正情報等を当該関連する情報として取得することである。
【０２５６】
例えば、撮像装置の特性に依存したシーン参照生データから標準化されたシーン参照画像データを生成する撮像装置特性補正処理において用いる該撮像装置特性補正処理の再現データを取得し、シーン参照生データと当該再現データとを拡張色域画像データを含むデータとすることができる。
【０２５７】
「第１の出力デバイス」（基準出力デバイス）とは、画像処理サービスを受けるユーザからの指示あるいは画像処理サービス提供者によって決定される出力デバイスである。基準出力デバイスは、ハードコピー画像を出力するデバイスであることが好ましく、画像処理サービスを受けるユーザが鑑賞するハードコピー画像を出力する出力デバイスであるのがより好ましい。
【０２５８】
また、複数の出力デバイスを基準出力デバイスとして設定することも可能である。例えば、画像処理サービス提供者或いは他のプリントサービス提供者のプリンタおよびユーザのプリンタを基準出力デバイスとして２種類の基準レンダリング情報を記録してユーザに提供することにより、ユーザはハードコピー画像を出力するデバイスに応じた当該２種類の基準レンダリング情報を参考にユーザ所望の仕上がりの鑑賞画像参照データを生成することが可能となる。
【０２５９】
「出力デバイスに関するデバイス特性データ」とは、レンダリングの際にレンダリング条件に影響する出力デバイスの仕様や特性等の情報である。
【０２６０】
「適正化処理条件」（レンダリング条件）は、前記出力デバイスに適した画像を生成するレンダリングに際して用いる上記色域の圧縮、階調圧縮、出力画素数の低減および出力デバイスの出力特性（ＬＵＴ）への対応処理、さらにノイズ抑制、鮮鋭化、カラーバランス調整、彩度調整あるいは覆い焼き処理などの複数の処理内容に関する処理条件を含んでいる。なお、レンダリング条件はこれら複数処理の処理順を指定する情報を含んでいても良い。レンダリング条件を記録する場合、全ての処理項目と処理条件とを対応付けて記録しても良く、別途設定した、標準のレンダリング条件の変更項目および／または処理条件の差異を記録するようにしても良い。
【０２６１】
「拡張色域画像データを含むデータ及び前記第１の適正化処理条件データを互いに関連付けて記録」とは、拡張色域画像データ、拡張色域画像データ以外の拡張色域画像に関連する情報および基準レンダリング情報のうち少なくとも１つの情報を別体として記録するか、あるいは、拡張色域画像データ、拡張色域画像データ以外の拡張色域画像に関連する情報および基準レンダリング情報を一体として記録することである。
【０２６２】
ここで、別体として記録する場合、当該少なくとも１つの情報を記録するファイルに他の情報を記録したファイルのリンク情報を記録する方法、あるいはそれぞれの情報を記録したファイルへのリンク情報を別途設けた情報管理ファイルに記録する方法等が用いられる。
【０２６３】
また、一体として記録する場合、拡張色域画像データ以外の拡張色域画像に関連する情報および基準レンダリング情報を拡張色域画像データファイルのヘッダ部にタグ情報として記録するのが好ましい。
【０２６４】
拡張色域画像データを含むデータおよび基準レンダリング情報を一体に記録する場合、両者の対応が得られなくなる可能性が殆どなくなって好ましい。
【０２６５】
また、情報を記録するファイル形式は、撮像装置固有の形式ではなく、ＴＩＦＦ（Ｔａｇｇｅｄ　Ｉｍａｇｅ　Ｆｉｌｅ　Ｆｏｒｍａｔ）、ＪＰＥＧ（Ｊｏｉｎｔ　Ｐｈｏｔｏｇｒａｐｈｉｃ　Ｅｘｐｅｒｔｓ　Ｇｒｏｕｐ）、Ｅｘｉｆなどの規格化された汎用ファイル形式で記録されるのが好ましい。
【０２６６】
「記録ステップ」で記録された「前記拡張色域画像データを含むデータ及び前記第１の適正化処理条件データ」はユーザに提供される。すなわち、当該記録されたデータを、直接あるいは通信網等を介して、ユーザが利用可能にすることであり、好ましくは、データを記録した携帯可能な記録媒体をユーザに提供したり、ネットワーク接続された画像処理サービス提供者側の画像サーバにデータを記録して当該画像サーバに記録したデータをインターネット等の通信網経由でユーザに利用可能に提供したり、電子メールに画像を添付してユーザに送信すること等である。データを記録する携帯可能な記録媒体は、磁気ディスク、光磁気ディスク、光ディスクおよび半導体記録媒体等である。
【０２６７】
「撮像装置」とは、光電変換機能を有する撮像素子（イメージセンサ）を備えた装置であり、デジタルカメラやスキャナがこれに含まれる。前記撮像素子の一例としては、ＣＣＤ（Ｃｈａｒｇｅ　Ｃｏｕｐｌｅｄ　Ｄｅｖｉｃｅ；電荷結合素子）と、シフトレジスタと呼ばれる電荷転送機構と、市松模様のカラーフィルタとを組み合わせ感色性を付与したＣＣＤ型撮像素子や、ＣＭＯＳ型撮像素子が挙げられる。これらの撮像素子の出力電流はＡ／Ｄ変換器によりデジタル化される。この段階での各色チャンネルの内容は、撮像素子固有の分光感度に基づいた信号強度となっている。
【０２６８】
「撮像装置の装置特性を含むシーン参照生データ」とは、被写体に忠実な情報を記録した撮像装置直接の生出力信号であり、前記Ａ／Ｄ変換器によりデジタル化されたデータそのものや、当該データに固定パターンノイズあるいは暗電流ノイズ等のノイズ補正を行ったデータを意味し、前記ＲＡＷデータがこれに含まれる。このシーン参照生データは、階調変換、鮮鋭性強調、彩度強調などのような画像鑑賞時の効果を向上する為にデータ内容を変更する画像処理や、撮像素子固有の分光感度に基づく各色チャンネルの信号強度を上記ＲＩＭＭ　ＲＧＢやｓＲＧＢなどの標準化された色空間にマッピングする処理が省略された状態の画像データである。シーン参照生データの情報量（例えば階調数）は前記Ａ／Ｄ変換器の性能に準じ、前記鑑賞画像参照データで必要とされる情報量（例えば階調数）と同等以上であることが好ましい。例えば鑑賞画像参照データの階調数が１チャンネルあたり８ｂｉｔである場合、シーン参照生データの階調数は１２ｂｉｔ以上が好ましく、１４ｂｉｔ以上がより好ましく、また１６ｂｉｔ以上がさらに好ましい。
【０２６９】
「標準化されたシーン参照画像データ」とは、少なくとも撮像素子自体の分光感度に基づく各色チャンネルの信号強度を前述のＲＩＭＭ　ＲＧＢやＥＲＩＭＭ　ＲＧＢなどの標準色空間にマッピング済みであり、階調変換、鮮鋭性強調、彩度強調などのような画像鑑賞時の効果を向上する為にデータ内容を変更する画像処理が省略された状態の画像データを意味する。またシーン参照画像データは、撮像装置の光電変換特性（ＩＳＯ１４５２が定義するｏｐｔｏ−ｅｌｅｃｔｒｏｎｉｃ　ｃｏｎｖｅｒｓｉｏｎ　ｆｕｎｃｔｉｏｎ、例えばコロナ社「ファインイメージングとデジタル写真」（社）日本写真学会出版委員会編４４９頁参照）の補正を行ったものであることが好ましい。標準化されたシーン参照生データの情報量（例えば階調数）は前記Ａ／Ｄ変換器の性能に準じ、鑑賞画像参照データで必要とされる情報量（例えば階調数）と同等以上であることが好ましい。例えば、鑑賞画像参照データの階調数が１チャンネルあたり８ｂｉｔである場合、シーン参照生データの階調数は１２ｂｉｔ以上が好ましく、１４ｂｉｔ以上がより好ましく、また１６ｂｉｔ以上がさらに好ましい。
【０２７０】
「装置特性を補正して標準化されたシーン参照画像データを生成する」とは、上記した撮像装置特性に依存したシーン参照生データを標準化されたシーン参照画像データに変換する処理を意味する。この処理の内容は撮像装置特性に依存したシーン参照生データの状態に依存するが、少なくとも撮像素子固有の分光感度に基づく各色チャンネルの信号強度を前述のＲＩＭＭ　ＲＧＢやＥＲＩＭＭ　ＲＧＢなどの標準色空間にマッピングする処理を含んでいる。例えば、撮像装置特性に依存したシーン参照生データがカラーフィルター配列に基づく補間処理を行っていない場合には、当該処理の実施が必要になる（カラーフィルター配列に基づく補間処理の詳細は、例えばコロナ社「ファインイメージングとデジタル写真」（社）日本写真学会出版委員会編５１頁に記載されている）。この結果、シーン参照生データと略同一の情報量を有しつつも、異なる撮像装置間の信号値の差異が補正された標準化されたシーン参照画像データが得られる。
【０２７１】
「シーン参照画像データを生成するための補正条件データ」とは、データ内の情報のみを活用して撮像装置の装置特性を補正する処理を行うためのデータを意味する。少なくとも、撮像素子自体の分光感度に基づく各色チャンネルの信号強度を前述のＲＩＭＭ　ＲＧＢやＥＲＩＭＭ　ＲＧＢなどの標準色空間にマッピングするためのデータ、すなわち撮像素子固有の分光感度特性かＲＩＭＭ　ＲＧＢのような特定の標準色空間に換算する時に使用すべきマトリックス係数が記載されている必要がある。
【０２７２】
例えば、撮像装置の機種名だけが記載されている場合は、本処理を実施する装置が機種名と前記マトリックス係数の対応表を保有していない可能性があるので十分なデータが提供されているとはいえないが、本処理を実施する際に十分な情報が直接記載されていなくても、当該情報のインターネット上での所在個所を示すＵＲＬが記載されている場合には、本処理を行うのに十分なデータが提供されているといえる。このような撮像装置特性補正処理を施すための補正条件データは、画像ファイル内のヘッダ部に書き込まれるタグ情報として記録されるのが好ましい。
【０２７３】
上記した補正条件データが、シーン参照生データとは独立してメディアに保存される態様の場合には、当該補正条件データあるいはシーン参照生データのうち何れか一方、または両方に対し、両者を関連付けるための情報を添付したり、別途リンク情報が記載された管理情報ファイルを添付する必要がある。
【０２７４】
「通信回線に接続されたサーバ」とは、インターネット等の通信回線に接続されたネットワークサーバであり、画像処理サービス提供者側に設置されている。
【０２７５】
【発明の実施の形態】
以下、本発明の実施形態ついて、図面を参照して説明する。
【０２７６】
（第１の実施形態）
図１は、本発明を適用した第１の実施形態における画像処理装置１００の機能ブロック図である。画像処理装置１００は、画像処理サービス提供者の図示しないシステム内に設けられている。
【０２７７】
図１に示すように、画像処理装置１００は、画像データを入力するフィルムスキャナ部９、反射原稿入力装置１０、画像転送手段３０および受信用通信手段４０と、当該入力された画像データに対して画像処理を行う画像処理部１２０と、画像処理を行う為の各種操作指示を入力する操作部１１と、画像処理部１２０を含め画像処理装置１００の動作を制御する制御部１２と、画像処理の際に用いられる各種データを格納する記憶手段１１１と、処理済み画像データの出力先であるＣＲＴ８、画像搬送部３１および通信手段４１とを備えて構成される。
【０２７８】
画像処理部１２０は、制御部１２により動作制御される画像調整処理部１、フィルムスキャンデータ処理部２、反射原稿スキャンデータ処理部３、
画像データ書式解読処理部４、ＣＲＴ固有処理部６、ヘッダ情報解析部１０２、装置特性補正処理部１０３ａ、シーン参照画像データ生成部１０４、レンダリング条件生成部１０５、撮影情報処理部１０６、鑑賞画像参照データ生成部１０７、出力デバイス情報処理部１０８、記録情報生成部１１０などを備えて構成される。
【０２７９】
フィルムスキャンデータ処理部２または反射原稿スキャンデータ処理部３は、特許請求の範囲における取得手段に相当し、レンダリング条件生成部１０５は、特許請求の範囲における決定手段および処理条件設定手段に相当し、鑑賞画像参照データ生成部１０７は、特許請求の範囲における鑑賞画像参照データ生成手段に相当し、出力デバイス情報処理部１０８は、特許請求の範囲における出力デバイス設定手段に相当し、記録情報生成部１１０は、特許請求の範囲における記録手段および差分画像データ生成手段に相当し、印刷情報生成部１１２は、特許請求の範囲における縮小画像データ生成手段およびトリミング手段に相当する。
【０２８０】
記憶手段１１１は、データ蓄積手段７１を具備すると共に、処理条件テーブル１０３ｂ、デバイスデータベース１０９およびレンダリング処理プログラムＰｒ１などのデータを格納する。
ここで、レンダリング処理プログラムＰｒ１は、特許請求の範囲における適正化処理用プログラムに相当する。
【０２８１】
制御部１２により画像処理部１２０を構成する上記各部の動作制御をするためのプログラムは、メモリ８０あるいは画像処理装置１００に着脱自在に設けられた記録媒体８１に格納されている。制御部１２は、特にメモリ８０あるいは記録媒体８１に格納された図２のフローチャートに示す画像処理を行うための画像処理プログラムを実行する。
【０２８２】
すなわち、画像処理部１２０は、操作部１１から入力された指示や上記画像処理プログラムを実行中の制御部１２による制御に基づき、フィルムスキャナ部９、反射原稿入力装置１０、画像転送手段３０あるいは受信用通信手段４０を介して入力された画像データに対して画像処理を施し、当該画像処理後の画像データをＣＲＴ８、画像搬送部３１あるいは通信手段４１に出力する。
【０２８３】
フィルムスキャンデータ処理部２は、フィルムスキャナ部９から入力された画像データに対して、フィルムスキャナ部９に固有の校正操作、ネガ原稿の場合のネガポジ反転、ゴミキズ除去、グレーバランス調整、コントラスト調整、粒状ノイズ除去、鮮鋭化強調などを施した後、装置特性補正処理部１０３ａを介してシーン参照画像データ生成部１０４に送信する。また、フィルムスキャンデータ処理部２は、フィルムサイズ、ネガポジ種別、フィルムに光学的あるいは磁気的に記録された主要被写体に関わる情報、撮影条件に関する情報（例えばＡＰＳの記載情報内容）などを撮影情報処理部１０６に送信する。
【０２８４】
反射原稿スキャンデータ処理部３は、反射原稿入力装置１０から入力された画像データに対して、反射原稿入力装置１０に固有の校正操作、ネガ原稿の場合のネガポジ反転、ゴミキズ除去、グレーバランス調整、コントラスト調整、ノイズ除去、鮮鋭化強調などを施した後、装置特性補正処理部１０３ａを介しシーン参照画像データ生成部１０４に送信する。
【０２８５】
露光処理部１３は、各種の携帯可能な記録媒体用のアダプタや画像処理サービス提供者のデジタルカメラ等が接続可能な画像転送手段３０から入力された画像データ、および画像処理サービス提供者の専用通信回線およびインターネット等の公衆回線に接続可能な受信用通信手段４０から入力された画像データのデータ書式に従い、必要に応じて圧縮符号の復元処理や色データの表現方法の変換処理等を行なってヘッダ情報解析部１０２に送信する。
【０２８６】
ヘッダ情報解析部１０２は、画像ファイルのヘッダ部から、撮像装置情報Ｉｎ２、撮影情報Ｉｎ３およびシーン参照生データＩｍ２を抽出する。ヘッダ情報解析部１０２は、当該抽出した撮像装置情報Ｉｎ２を装置特性補正処理部１０３ａに送信し、当該抽出した撮影情報Ｉｎ３を撮影情報処理部１０６に送信し、当該抽出したシーン参照生データＩｍ２をシーン参照画像データ生成部１０４に送信する。
【０２８７】
装置特性補正処理部１０３ａは、記憶手段１１１中の処理条件テーブル１０３ｂから撮像装置に応じた情報を取得するなどして決定した処理条件をシーン参照画像データ生成部１０４に送信する。
【０２８８】
シーン参照画像データ生成部１０４は、撮像装置特性補正処理条件をシーン参照生データＩｍ２に適用してシーン参照画像データＩｍ３を生成する。当該生成されたシーン参照画像データＩｍ３はレンダリング条件生成部１０５、鑑賞画像参照データ生成部１０７および記録情報生成部１１０に送信される。
ここで、シーン参照画像データＩｍ３は、特許請求の範囲における拡張色域画像データを含むデータあるいはシーン参照画像データに相当する。
【０２８９】
撮影情報処理部１０６は、送信された撮影情報Ｉｎ２に基づいて、鑑賞画像参照データ生成に関わる画像処理条件を決定する。
【０２９０】
なお、基準出力デバイスの指定情報は、操作部１１から入力されるようにしても良いし、受信用通信手段４０により受信された画像データあるいは画像転送手段３０により取得された画像データのヘッダ部にユーザから画像処理サービス提供者への基準出力デバイス指定情報が注文情報Ｉｎ１として含まれている場合には、ヘッダ情報解析部１０２で抽出され、当該抽出された基準出力デバイスの指定情報を出力デバイス情報処理部１０８に送信されるようにしても良い。
【０２９１】
出力デバイス情報処理部１０８は、指定デバイスに対応するデバイス特性情報を、記憶手段１１１中のデバイスデータベース１０９から取得したり、あるいは外部データベースから通信手段４１により通信網を介するなどして取得してレンダリング条件生成部１０５へ送信する。
【０２９２】
レンダリング条件生成部１０５は、入力されたシーン参照画像データＩｍ３、出力デバイスの特性情報、撮影情報処理部１０６により作成された画像処理条件や操作部から入力された指定内容等に基づいてレンダリング条件を生成し、当該生成したレンダリング条件を鑑賞画像参照データ生成部１０７および記録情報生成部１１０に送信する。なお、レンダリング条件生成部１０５は、操作部１１あるいは上記注文情報Ｉｎ１の指示に応じて、図示しないテンプレートデータベースからテンプレートを取得し、画像に合成するようにしても良い。
【０２９３】
鑑賞画像参照データ生成部１０７は、上記レンダリング条件に基づきシーン参照画像データＩｍ３に対し画像処理を施して鑑賞画像参照データを生成する。
【０２９４】
以上説明した各種処理は、出力デバイスを表示用デバイスおよび基準出力デバイスとして実施される。
【０２９５】
鑑賞画像参照データ生成部１０７は、出力デバイスを表示用デバイスに特定して生成した鑑賞画像参照データをＣＲＴ固有処理部６および記録情報生成部１１０に送信する。ＣＲＴ固有処理部６は、受け取った鑑賞画像参照データに対し必要に応じて画素数変更やカラーマッチング等の処理を行ない、制御情報等の表示が必要な情報と合成した表示用の画像データをＣＲＴ８に送出する。
【０２９６】
鑑賞画像参照データ生成部１０７は、出力デバイスを基準出力デバイスに特定して生成した鑑賞画像参照データ（すなわち基準鑑賞画像参照データＩｍ５）を記録情報生成部１１０に送信する。
ここで、基準鑑賞画像参照データＩｍ５は、特許請求の範囲における第１の鑑賞画像参照データに相当する。
【０２９７】
記録情報生成部１１０は、記憶手段１１１からユーザ用のレンダリング処理プログラムＰｒ１を取得し、画像搬送部３１へ送る。
【０２９８】
記録情報生成部１１０は、入力されたシーン参照画像データＩｍ３、表示用鑑賞画像参照データＩｍ４、基準鑑賞画像参照データＩｍ５および基準鑑賞画像参照データＩｍ５の生成に用いるレンダリング条件から、表示用鑑賞画像参照データＩｍ４の画像ファイルのヘッダ部にタグ情報として記録する差分データＡＩｍ６（「基準鑑賞画像参照データＩｍ５」―「表示用鑑賞画像参照データＩｍ４」の差分データ）、差分データＢＩｍ７（「シーン参照画像データＩｍ３」―「基準鑑賞画像参照データＩｍ５」の差分データ）および基準レンダリング情報Ｉｎ９を生成し、画像搬送部３１およびデータ蓄積手段７１に送信する。基準レンダリング情報Ｉｎ９は、基準レンダリング条件Ｉｎ８そのものを表す情報あるいは基準レンダリング条件Ｉｎ８を生成するための情報である。
ここで、表示用鑑賞画像参照データＩｍ４は、特許請求の範囲における縮小画像データあるいは第２の鑑賞画像参照データに相当し、差分データＡＩｍ６は、特許請求の範囲における第３の差分データに相当し、差分データＢＩｍ７は、特許請求の範囲における第１の差分画像データあるいは第２の差分画像データに相当し、差分データＢＩｍ７と差分データＡＩｍ６とを合わせたデータは、特許請求の範囲における第１の差分画像データに相当する。また、基準レンダリング情報Ｉｎ９は、特許請求の範囲における第１の適正化処理条件データに相当する。
【０２９９】
画像搬送部３１は、ＦＤ用アダプタ、ＭＯ用アダプタ、光ディスク用アダプタを備え、ＦＤ、ＭＯおよびＣＤ―Ｒ等の携帯可能な記録媒体が使用可能になっており、記録情報生成部１１０から受け取ったユーザ用のレンダリング処理プログラムＰｒ１、画像データおよびレンダリング情報等を携帯可能な記録媒体に記録する。
【０３００】
そして、ユーザ用のレンダリング処理プログラムＰｒ１、画像データおよびレンダリング情報等が記録された携帯可能な記録媒体がユーザに提供される。
【０３０１】
なお、本第１の実施の形態においては、ユーザ用のレンダリング処理プログラムＰｒ１、画像データおよびレンダリング情報等を携帯可能な記録媒体に記録してユーザに提供するが、本発明はこれに限定されず、データ蓄積手段７１に蓄積された画像データおよびレンダリング情報等やユーザ用のレンダリング処理プログラムＰｒ１の一部または全部を通信手段４１によって、画像処理サービス提供者の専用回線および／またはインターネット等の公衆回線等の有線および／または無線通信網を介して、ユーザに提供するようにしても良い。インターネットを利用する場合、電子メールおよび／または添付情報として送信したり、画像の公開、画像処理サービスの受付等も行う画像処理サービスサイトを設置し、ユーザに提供するのが好ましい。
【０３０２】
次に、本第１の実施の形態における動作を説明する。
図２に、本第１の実施の形態における画像処理装置１００による画像処理を説明するフローチャートを示す。当該フローチャートに示す画像処理は、制御部１２がメモリ８０あるいは記録媒体８１に格納された画像処理プログラムを実行することにより実現される。
【０３０３】
また、当該フローチャートの各ステップにおいて、参照、取得または生成される画像や、関連情報、プログラムも図２に示す。
【０３０４】
まず、画像処理サービス提供者は、店頭窓口、無人端末、インターネット等の通信網を介してサービスの受付を行ってユーザから注文情報Ｉｎ１と原画像Ｉｍ１を取得する。注文情報Ｉｎ１は、ＡＰＳフィルムの情報記録手段に記録された情報やデジタル画像データファイルのヘッダ情報等として、画像と一体に提供される場合もある。
【０３０５】
ステップＳ１００１：
原画像Ｉｍ１が撮影済み写真フィルムや写真プリントの場合、必要に応じて現像処理が施された後、制御部１２は、フィルムスキャンデータ処理部２を制御してフィルムスキャナ部９からシーン参照生データＩｍ２を取得すると共に当該画像取り込みに用いたフィルムスキャナ部９の装置特性に係る情報を撮像装置情報Ｉｎ２として取得する。また、原画像Ｉｍ１がデジタルカメラ等で撮影されたデジタル画像で、当該デジタル画像が画像転送手段３０あるいは受信用通信手段４０を介して入力された場合、制御部１２は、画像データ書式解読処理部４を制御して当該デジタル画像のデータ構造を解析すると共にシーン参照生データＩｍ２および撮像装置情報Ｉｎ２を取得する。
また、制御部１２は、反射原稿スキャンデータ処理部３を制御して反射原稿入力装置１０を介して入力された画像データからシーン参照生データＩｍ２および撮像装置情報Ｉｎ２を取得することも可能である。
ここで、制御部１２は、画像データが撮像装置特性補正処理済みのシーン参照画像データＩｍ３である場合にはステップＳ１００４の処理へ進む。また、制御部１２は、ステップＳ１００１の段階で撮影時の情報が付与されている場合には当該撮影時の情報を撮影情報Ｉｎ３として取得する。
【０３０６】
ステップＳ１００２：
制御部１２は、装置特性補正処理部１０３ａを制御して撮像装置情報Ｉｎ２に対応する撮像装置特性補正処理の再現データＩｎ４を処理条件テーブル１０３ｂから取得する。
【０３０７】
ステップＳ１００３：
制御部１２は、シーン参照生データＩｍ２および撮像装置特性補正処理の再現データＩｎ４に基づき、シーン参照画像データ生成部１０４を制御して標準化されたシーン参照画像データＩｍ３を生成する。
【０３０８】
ステップＳ１００４：
制御部１２は、出力デバイス情報処理部１０８を制御してデバイスデータベース１０９に記録されている表示用デバイス情報Ｉｎ５を取得する。
【０３０９】
ステップＳ１００５：
制御部１２は、表示用デバイス情報Ｉｎ５に基づき、レンダリング条件生成部１０５を制御して表示用鑑賞画像参照データＩｍ４を生成する次処理で用いる表示用デバイスに適したレンダリング条件Ｉｎ６を設定する。
ここで、表示用デバイスに適したレンダリング条件Ｉｎ６そのものを示す情報あるいは表示用デバイスに適したレンダリング条件Ｉｎ６を生成するための情報は、特許請求の範囲における第２の適正化処理条件データに相当する。
【０３１０】
ステップＳ１００６：
制御部１２は、表示用デバイスに適したレンダリング条件Ｉｎ６に基づき、鑑賞画像参照データ生成部１０７を制御して表示用デバイスに適した表示用鑑賞画像参照データＩｍ４を生成する。
なお、ステップＳ１００５、ステップＳ１００６では、操作部１１および制御部１２から画像調整処理部１を介して、レンダリング条件および／または処理の順番を変更するなどして繰り返し処理されるようにしても良い。
【０３１１】
ステップＳ１００７：
制御部１２は、ユーザの注文情報Ｉｎ１に基づき、出力デバイス情報処理部１０８を制御して基準出力デバイスを決定すると共にデバイスデータベース１０９から基準出力デバイス情報Ｉｎ７を取得する。
【０３１２】
画像処理サービス申し込み／受付時に、ユーザから基準出力デバイスの指定が無い場合には、図示しない顧客データベースのユーザの過去の注文内容等を参照し、基準出力デバイスを設定する等、画像処理サービス提供者の判断で適宜設定するようにしても良い。
【０３１３】
以後、基準出力デバイスはユーザが通常使用するインクジェットプリンタであるとして説明を続ける。
【０３１４】
ステップＳ１００８：
制御部１２は、取得した基準出力デバイス情報Ｉｎ７に基づき、レンダリング条件生成部１０５を制御して基準出力デバイスであるユーザのインクジェットプリンタに適した基準鑑賞画像参照データＩｍ５を生成する次処理で用いるレンダリング条件、すなわち基準レンダリング条件Ｉｎ８を設定する。
なお、撮影情報Ｉｎ３を取得している場合には、撮影情報Ｉｎ３に応じてレンダリング条件を調整するようにしても良い。また、テンプレート画像をデータベースあるいは外部から通信網を介するなどして取得し、処理対象の画像に合成するようにしても良い。
【０３１５】
ステップＳ１００９：
制御部１２は、基準出力デバイスに適したレンダリング条件Ｉｎ６に基づき、鑑賞画像参照データ生成部１０７を制御して基準鑑賞画像参照データＩｍ５を生成する。
なお、ステップＳ１００８、ステップＳ１００９では、操作部１１および制御部１２から画像調整処理部１を介して、レンダリング条件および／または処理の順序を変更するなどして繰り返し処理されるようにしても良い。
【０３１６】
ステップＳ１０１０：
制御部１２は、以下に示すように記録される情報を生成する。
（１）制御部１２は、記録情報生成部１１０を制御して基準鑑賞画像参照データＩｍ５の生成処理に用いるレンダリング条件Ｉｎ８を与える情報を基準レンダリング情報Ｉｎ９として生成する。
基準レンダリング情報Ｉｎ９を記録する場合、全ての処理項目と処理条件とを対応付けて記録しても良く、別途設定した標準のレンダリング条件との変更項目および／または処理条件の差異を記録するようにしても良い。
（２）制御部１２は、記録情報生成部１１０を制御して「基準鑑賞画像参照データＩｍ５」―「表示用鑑賞画像参照データＩｍ４」の差分データを差分データＡＩｍ６として生成する。
（３）制御部１２は、記録情報生成部１１０を制御して「シーン参照画像データＩｍ３」―「基準鑑賞画像参照データＩｍ５」の差分データを差分データＢＩｍ７として生成する。
【０３１７】
ステップＳ１０１１：
制御部１２は、記録情報生成部１１０を制御して画像搬送部３１に格納された携帯可能な記録媒体（図示略）にユーザ用のレンダリング処理プログラムＰｒ１を記録する。
【０３１８】
ステップＳ１０１２：
制御部１２は、記録情報生成部１１０を制御して、上記ユーザ用のレンダリング処理プログラムＰｒ１が記録された携帯可能な記録媒体に、基準レンダリング情報Ｉｎ９、差分データＡＩｍ６および差分データＢＩｍ７を、表示用鑑賞画像参照データＩｍ４の画像ファイルのヘッダ部にタグ情報として付加したタグ情報付き表示用鑑賞画像参照データファイルＩｍ８を記録する。この際、撮影情報Ｉｎ３等もタグ情報として記録されるようにしても良い。
【０３１９】
ステップＳ１０１２の後、画像処理サービス提供者は、基準レンダリング情報Ｉｎ９、差分データＡＩｍ６および差分データＢＩｍ７をタグ情報として含むタグ情報付き表示用鑑賞画像参照データファイルＩｍ８およびユーザ用のレンダリング処理プログラムＰｒ１を記録した携帯可能な記録媒体をユーザに提供する。また、画像処理サービス提供者は、提供するデータやプログラムに応じて別途対価を請求することもできる。
【０３２０】
ここで、タグ情報付き表示用鑑賞画像参照データファイルＩｍ８の構造を図３に模式的に示す。図３に示すように、タグ情報付き表示用鑑賞画像参照データファイルＩｍ８には、基準レンダリング情報Ｉｎ９、差分データＡＩｍ６および差分データＢＩｍ７が表示用鑑賞画像参照データＩｍ４のタグ情報としてヘッダ部に記録されている。
【０３２１】
なお、本第１の実施形態では、表示用鑑賞画像参照データＩｍ４、基準鑑賞画像参照データＩｍ５を再構成可能な差分データＡＩｍ６、シーン参照画像データＩｍ３を再構成可能な差分データＢＩｍ７、基準レンダリング情報Ｉｎ９およびユーザ用のレンダリング処理プログラムＰｒ１を同一の携帯可能な記録媒体に記録してユーザに提供するようにしているが、本発明はこれに限定されず、上記内容の一部を別の携帯可能な記録媒体に記録するようにしても良く、上記内容の一部または全部を通信網を介して提供するようにしても良い。
【０３２２】
次に、レンダリング処理プログラムＰｒ１に基づくレンダリング処理について説明する。図４に、ユーザ用のレンダリング処理プログラムＰｒ１に基づくレンダリング処理を説明するフローチャートを示す。当該プロ―チャートに示すレンダリング処理は、ユーザが通常使用する図示しないＰＣ（Ｐｅｒｓｏｎａｌ　Ｃｏｍｐｕｔｅｒ）のＣＰＵ（以下、ユーザＣＰＵという。）が画像処理サービス提供者から提供されるレンダリング処理プログラムＰｒ１を実行することにより実現される。
【０３２３】
また、当該フローチャートの各ステップにおいて、参照、取得または生成される画像や、関連情報、プログラムも図４に示す。
【０３２４】
まず、ユーザは、画像処理サービス提供者からタグ情報付き表示用鑑賞画像参照データファイルＩｍ８およびレンダリング処理プログラムＰｒ１を記録した携帯可能な記録媒体を受領する（すなわち、自分のＰＣに格納およびインストールする。）。
【０３２５】
ステップＳ１１０１：
ユーザＣＰＵは、受領したレンダリング処理プログラムＰｒ１を起動する。
【０３２６】
ステップＳ１１０２：
ユーザＣＰＵは、レンダリング処理プログラムＰｒ１に基づき、タグ情報付き表示用鑑賞画像参照データファイルＩｍ８のタグ情報解析を行い、さらに、表示用鑑賞画像参照データＩｍ４、基準レンダリング情報Ｉｎ９、差分データＡＩｍ６および差分データＢＩｍ７等の各種情報を取得する。
【０３２７】
ステップＳ１１０３：
ユーザＣＰＵは、表示用鑑賞画像参照データＩｍ４を図示しない表示装置にディスプレイ表示する。この際、ユーザＣＰＵは、画素数の小さいサムネイル画像を必要に応じて生成し表示するのが好ましい。サムネイル画像は、画像処理サービス提供者により生成され、シーン参照画像データＩｍ３を与える情報および基準レンダリング情報Ｉｎ９と関連付けて記録されるのが好ましい。さらに、サムネイル画像は、タグ情報付き表示用鑑賞画像参照データファイルＩｍ８のヘッダ部にタグ情報として記録されるようにしても良い。
【０３２８】
ステップＳ１１０４：
ユーザＣＰＵは、ユーザにより入力された処理対象となる画像を指定する指示を受信する。
【０３２９】
ステップＳ１１０５：
処理対象となる画像が指定されると、ユーザＣＰＵは、レンダリング処理プログラムＰｒ１に基づき、当該処理に用いる画像データを下記に示すように再構成する。
（１）表示用鑑賞画像参照データＩｍ４および差分データＡＩｍ６を合成し、基準鑑賞画像参照データＩｍ５を再構成する。
（２）基準鑑賞画像参照データＩｍ５および差分データＢＩｍ７を合成し、シーン参照画像データＩｍ３を再構成する。
【０３３０】
ステップＳ１１０６：
ユーザＣＰＵは、基準鑑賞画像参照データＩｍ５を基準出力デバイスに設定されているインクジェットプリンタに出力し、ハードコピープリント（基準鑑賞画像参照データのプリントＩｍ９）を作成する。
【０３３１】
なお、本第１の実施の形態においては、画像処理サービスの申し込み時にユーザから画像処理サービス提供者に対して基準出力デバイスとしてユーザが通常使用するインクジェットプリンタが指定された場合を想定しているが、本発明はこれに限定されない。
【０３３２】
ステップＳ１１０７：
ユーザＣＰＵは、処理対象画像と対応付けて基準レンダリング情報Ｉｎ９をディスプレイ表示する。
【０３３３】
ステップＳ１１０８：
ユーザＣＰＵは、基準レンダリング情報Ｉｎ９および基準鑑賞画像参照データＩｍ５を基準出力デバイスであるユーザのインクジェットプリンタに出力して作成した基準鑑賞画像参照データのプリントＩｍ９（ハードコピープリント）を参考にして行ったユーザの指示に基づいて、ユーザの意図にあった好みの仕上がりのプリントを作成するための変更鑑賞画像参照データＩｍ１０を生成する際に用いるレンダリング条件、すなわち変更レンダリング条件Ｉｎ１０を設定する。
基準レンダリング情報Ｉｎ９が処理対象の画像と対応してディスプレイ表示されると共に、基準鑑賞画像参照データＩｍ５を基準出力デバイスであるユーザのインクジェットプリンタに出力して作成された基準鑑賞画像参照データのプリントＩｍ９（ハードコピープリント）が示されるので、ユーザは、これらを参考にして容易に変更レンダリング条件Ｉｎ１０を設定することができる。
ここで、変更鑑賞画像参照データＩｍ１０は、特許請求の範囲における第４の鑑賞画像参照データに相当する。
【０３３４】
ステップＳ１１０９：
ユーザＣＰＵは、シーン参照画像データＩｍ３に対し変更レンダリング条件Ｉｎ１０に基づいてレンダリング処理等の画像処理を施して、新たな鑑賞画像参照データ、すなわち変更鑑賞画像参照データＩｍ１０を生成する。
【０３３５】
ステップＳ１１１０：
ユーザＣＰＵは、変更鑑賞画像参照データＩｍ１０を基準出力デバイスであるユーザのインクジェットプリンタに出力し、変更鑑賞画像参照データのプリントＩｍ１１（ハードコピープリント）を作成する。
【０３３６】
ステップＳ１１１１：
ユーザＣＰＵは、以下に示すように記録する情報を生成する。
（１）ユーザＣＰＵは、変更レンダリング条件Ｉｎ１０を与える情報を変更レンダリング情報Ｉｎ１１として生成する。変更レンダリング情報Ｉｎ１１は、変更レンダリング条件Ｉｎ１０そのものを示す情報あるいは変更レンダリング条件１０を生成するための情報である。
なお、変更レンダリング情報Ｉｎ１１を記録する場合、全ての処理項目と処理条件とを対応付けて記録しても良く、別途設定した標準のレンダリング条件との変更項目および／または処理条件の差異を記録するようにしても良い。また、基準レンダリング情報Ｉｎ９との変更項目および／または処理条件の差異を記録するようにしても良い。
（２）ユーザＣＰＵは、「変更鑑賞画像参照データＩｍ１０」―「表示用鑑賞画像参照データＩｍ４」の差分データを差分データＣＩｍ１２として生成する。
ここで、変更レンダリング情報Ｉｎ１１は、特許請求の範囲における第４の適正化処理条件データに相当する。
【０３３７】
ステップＳ１１１２：
ユーザＣＰＵは、基準レンダリング情報Ｉｎ９、変更レンダリング情報Ｉｎ１１、差分データＡＩｍ６、差分データＢＩｍ７および差分データＣＩｍ１２を、表示用鑑賞画像参照データＩｍ４の画像ファイルのヘッダ部にタグ情報付加した、タグ情報付き表示用鑑賞画像参照データファイルＩｍ１３として記録する（図５参照）。
この場合、撮影情報Ｉｎ３等もタグ情報として記録するようにしても良い。また、ユーザの判断により、ステップＳ１１０８の処理に戻り、変更レンダリング条件Ｉｎ１０を再設定するようにしても良い。また、ステップＳ１１１０において、変更鑑賞画像参照データＩｍ１０を基準出力デバイスであるユーザのインクジェットプリンタに出力して作成した変更鑑賞画像参照データのプリントＩｍ１１（ハードコピープリント）が、ユーザの満足いく仕上がりであった場合には、変更レンダリング情報Ｉｎ１１を基準レンダリング情報Ｉｎ９として記録するようにしても良く、変更鑑賞画像参照データＩｍ１０を新たな基準鑑賞画像参照データＩｍ５として設定して記録しても良い。また、変更鑑賞画像参照データＩｍ１０を新たな基準鑑賞画像参照データＩｍ５として設定して記録する場合、シーン参照画像データＩｍ３、変更レンダリング情報Ｉｎ１１および変更鑑賞画像参照データＩｍ１０を関連付けて記録しても良く、「シーン参照画像データＩｍ３」―「変更鑑賞画像参照データＩｍ１０」の差分データＤ（図示せず）を求めて、変更レンダリング情報Ｉｎ１１、差分データＣＩｍ１２および上記差分データＤをタグ情報付き表示用鑑賞画像参照データファイルＩｍ１３のタグ情報として記録するようにしても良い。
ここで、タグ情報付き表示用鑑賞画像参照データファイルＩｍ１３の構造を図５に模式的に示す。図５に示すように、タグ情報付き表示用鑑賞画像参照データファイルＩｍ１３には、基準レンダリング情報Ｉｎ９、変更レンダリング情報Ｉｎ１１、差分データＡＩｍ６、差分データＢＩｍ７および差分データＣＩｍ１２が表示用鑑賞画像参照データＩｍ４のタグ情報としてヘッダ部に記録されている。
【０３３８】
以上説明したように、基準レンダリング情報Ｉｎ９と、基準鑑賞画像参照データＩｍ５を基準出力デバイスであるユーザのインクジェットプリンタに出力して作成した基準鑑賞画像参照データのプリントＩｍ９（ハードコピープリント）とが表示されるので、ユーザは容易に変更レンダリング条件Ｉｎ１０を設定することができ、変更レンダリング条件Ｉｎ１０に基づいて生成する変更鑑賞画像参照データＩｍ１０を基準出力デバイスであるユーザのインクジェットプリンタに出力することにより、ユーザの意図、好みを反映した高画質の変更鑑賞画像参照データのプリントＩｍ１１（ハードコピープリント）を作成することができる。
【０３３９】
（第２の実施形態）
図６は、本発明を適用した第２の実施形態における画像処理装置２００の機能ブロック図である。画像処理装置２００は、画像処理サービス提供者の図示しないシステム内に設けられている。
【０３４０】
図６に示すように、画像処理装置２００は、画像データを入力するフィルムスキャナ部９、反射原稿入力装置１０、画像転送手段３０および受信用通信手段４０と、当該入力された画像データに対して画像処理を行う画像処理部１２０ａと、画像処理を行う為の各種操作指示を入力する操作部１１と、画像処理部１２０を含め画像処理装置１００の動作を制御する制御部１２と、画像処理の際に用いられる各種データを格納する記憶手段１１１と、処理済み画像データの出力先であるＣＲＴ８、露光処理部１３、画像搬送部３１および通信手段４１とを備えて構成される。
【０３４１】
画像処理部１２０ａは、制御部１２により動作制御される画像調整処理部１、フィルムスキャンデータ処理部２、反射原稿スキャンデータ処理部３、画像データ書式解読処理部４、ＣＲＴ固有処理部６、プリンタ固有処理部７、ヘッダ情報解析部１０２、装置特性補正処理部１０３ａ、シーン参照画像データ生成部１０４、レンダリング条件生成部１０５、撮影情報処理部１０６、鑑賞画像参照データ生成部１０７、出力デバイス情報処理部１０８、記録情報生成部１１０、印刷情報生成部１１２などを備えて構成される。
【０３４２】
プリンタ固有処理部７は、特許請求の範囲におけるプリント作成手段に相当する。
【０３４３】
記憶手段１１１は、データ蓄積手段７１を具備すると共に、処理条件テーブル１０３ｂ、デバイスデータベース１０９およびレンダリング処理プログラムＰｒ２などのデータを格納する。
ここで、レンダリング処理プログラムＰｒ２は、特許請求の範囲における適正化処理プログラムに相当する。
【０３４４】
制御部１２により画像処理部１２０を構成する上記各部の動作制御を行うためのプログラムは、メモリ８０ａあるいは画像処理装置１００に着脱自在に設けられた記録媒体８１ａに格納されている。制御部１２は、特にメモリ８０ａあるいは記録媒体８１ａに格納された図７のフローチャートに示す画像処理を行うための画像処理プログラムを実行する。
【０３４５】
すなわち、画像処理部１２０ａは、操作部１１から入力された指示や上記画像処理プログラムを実行中の制御部１２による制御に基づき、フィルムスキャナ部９、反射原稿入力装置１０、画像転送手段３０あるいは受信用通信手段４０を介して入力された画像データに対して画像処理を施し、当該画像処理後の画像データをＣＲＴ８、露光処理部１３、画像搬送部３１あるいは通信手段４１に出力する。
【０３４６】
フィルムスキャンデータ処理部２は、フィルムスキャナ部９から入力された画像データに対して、フィルムスキャナ部固有の校正操作、ネガ原稿の場合のネガポジ反転、ゴミキズ除去、グレーバランス調整、コントラスト調整、粒状ノイズ除去、鮮鋭化強調などを施した後、装置特性補正処理部１０３ａを介してシーン参照画像データ生成部１０４に送信する。また、フィルムスキャンデータ処理部２は、フィルムサイズ、ネガポジ種別、フィルムに光学的あるいは磁気的に記録された主要被写体に関わる情報、撮影条件に関する情報（例えばＡＰＳの記載情報内容）などを撮影情報処理部１０６に送信する。
【０３４７】
反射原稿スキャンデータ処理部３は、反射原稿入力装置１０から入力された画像データに対して、反射原稿入力装置固有の校正操作、ネガ原稿の場合のネガポジ反転、ゴミキズ除去、グレーバランス調整、コントラスト調整、ノイズ除去、鮮鋭化強調などを施した後、装置特性補正処理部１０３ａを介しシーン参照画像データ生成部１０４に送信する。
【０３４８】
露光処理部１３は、各種の携帯可能な記録媒体用のアダプタや画像処理サービス提供者のデジタルカメラ等が接続可能な画像転送手段３０から入力された画像データ、および画像処理サービス提供者の専用通信回線およびインターネット等の公衆回線に接続可能な受信用通信手段４０から入力された画像データのデータ書式に従い、必要に応じて圧縮符号の復元処理や色データの表現方法の変換処理等を行なってヘッダ情報解析部１０２に送信する。
【０３４９】
ヘッダ情報解析部１０２は、画像ファイルのヘッダ部から、撮像装置情報Ｉｎ２、撮影情報Ｉｎ３およびシーン参照生データＩｍ２を抽出する。ヘッダ情報解析部１０２は、当該抽出した撮像装置情報Ｉｎ２を装置特性補正処理部１０３ａに送信し、当該抽出した撮影情報Ｉｎ３を撮影情報処理部１０６に送信し、当該抽出したシーン参照生データＩｍ２をシーン参照画像データ生成部１０４に送信する。
【０３５０】
装置特性補正処理部１０３ａは、記憶手段１１１中の処理条件テーブル１０３ｂから撮像装置に応じた情報を取得するなどして決定した処理条件をシーン参照画像データ生成部１０４に送信する。
【０３５１】
シーン参照画像データ生成部１０４は、撮像装置特性補正処理条件をシーン参照生データＩｍ２に適用してシーン参照画像データＩｍ３を生成する。当該生成されたシーン参照画像データＩｍ３はレンダリング条件生成部１０５、鑑賞画像参照データ生成部１０７および記録情報生成部１１０に送信される。
【０３５２】
撮影情報処理部１０６は、送信された撮影情報Ｉｎ２に基づいて、鑑賞画像参照データ生成に関わる画像処理条件を決定する。
【０３５３】
この実施態様では、基準出力デバイスが画像処理サービス提供者の写真プリンタ（露光処理部１３）であるものとする。
【０３５４】
ただし、第１の実施形態同様に、基準出力デバイスについての指定は操作部１１からの入力の他に、受信用通信手段４０が受信あるいは画像転送手段３０が取得した画像データのヘッダ情報、ユーザから画像処理サービス提供者への基準出力デバイス指定情報が注文情報Ｉｎ１として含まれている場合にはヘッダ情報解析部１０２により取得される。取得された基準出力デバイス指定情報は出力デバイス情報処理部１０８に送られ、出力デバイス情報処理部１０８では、指定デバイスに対応するデバイス特性情報を記憶手段１１１中のデバイスデータベース１０９あるいは外部データベースから通信手段４１により通信網を介するなどして取得し、レンダリング条件生成部１０５へ送るようにしても良い。
【０３５５】
レンダリング条件生成部１０５は、入力されたシーン参照画像データＩｍ３、出力デバイスの特性情報、撮影情報処理部１０６により作成された画像処理条件や操作部から入力された指定内容等に基づいてレンダリング条件を生成し、当該生成したレンダリング条件を鑑賞画像参照データ生成部１０７および記録情報生成部１１０に送信する。また、基準出力デバイスである画像処理サービス提供者の写真プリンタ（露光処理部１３）に適するように設定されたレンダリング条件は印刷情報生成部１１２にも送信される。
【０３５６】
なお、レンダリング条件生成部１０５は、操作部１１あるいは上記注文情報Ｉｎ１の指示に応じて、図示しないテンプレートデータベースからテンプレートを取得し、画像に合成するようにしても良い。
【０３５７】
鑑賞画像参照データ生成部１０７は、上記レンダリング条件に基づきシーン参照画像データＩｍ３に対し画像処理を施して鑑賞画像参照データを生成する。
【０３５８】
以上説明した各種処理は、出力デバイスを表示用デバイスおよび基準出力デバイスである画像処理サービス提供者の写真プリンタ（露光処理部１３）として順次実施される。
【０３５９】
また、同様にして、出力デバイスを基準出力デバイスである画像処理サービス提供者の写真プリンタ（露光処理部１３）としながら、前記基準出力デバイスに適した基準レンダリング条件Ｉｎ８とは処理条件および／または処理順が異なるレンダリング条件：比較レンダリング条件Ｉｎ１２を設定し、この比較レンダリング条件Ｉｎ１２に基づき比較鑑賞画像参照データＩｍ１４が生成される。２つ以上の比較レンダリング条件Ｉｎ１２を設定し、比較鑑賞画像参照データＩｍ１４を複数生成するようにしても良い。
ここで、比較鑑賞画像参照データＩｍ１４は、特許請求の範囲における第３の鑑賞画像参照データに相当する。また、比較レンダリング条件Ｉｎ１２そのものを示す情報あるいは当該比較レンダリング条件Ｉｎ１２を生成するための情報は、特許請求の範囲における第３の適正化処理条件データに相当する。
【０３６０】
鑑賞画像参照データ生成部１０７は、出力デバイスを表示用デバイスに特定して生成した鑑賞画像参照データをＣＲＴ固有処理部６および記録情報生成部１１０に送信する。ＣＲＴ固有処理部６は、受け取った鑑賞画像参照データに対し必要に応じて画素数変更やカラーマッチング等の処理を行ない、制御情報等の表示が必要な情報と合成した表示用の画像データをＣＲＴ８に送出する。
【０３６１】
出力デバイスを基準出力デバイスである画像処理サービス提供者の写真プリンタ（露光処理部１３）として基準となるレンダリング条件（すなわち、基準レンダリング条件Ｉｎ８）と、この基準レンダリング条件に基づいて生成された鑑賞画像参照データ（すなわち、基準鑑賞画像参照データＩｍ５）とは、記録情報生成部１１０および印刷情報生成部１１２に送られ、出力デバイスを基準出力デバイスである画像処理サービス提供者の写真プリンタ（露光処理部１３）とした基準レンダリング条件とは処理条件および／または処理順が異なる比較レンダリング条件Ｉｎ１２と、この比較レンダリング条件Ｉｎ１２に基づいて生成された比較鑑賞画像参照データＩｍ１４とは、印刷情報生成部１１２に送られる。
【０３６２】
印刷情報生成部１１２は、基準鑑賞画像参照データＩｍ５、１つあるいは複数の比較鑑賞画像参照データＩｍ４およびそれぞれの画像データに対応するレンダリング条件を取得し、所定の画像縮小、トリミング等を行い、また、プリント画像に付記するレンダリング条件の整理等を行い、プリンタ固有処理部７へ転送する。
【０３６３】
プリンタ固有処理部７は、必要に応じてプリンタ固有の校正処理、カラーマッチング、画素数変更等を行ない、露光処理部１３に画像データを送出する。
【０３６４】
露光処理部１３は、受け取ったレンダリング情報が付記された基準鑑賞画像参照データＩｍ５および比較鑑賞画像参照データＩｍ１４に基づく画像データを出力し、リファレンスプリントＩｍ１６が作成される。
【０３６５】
露光処理部１３（すなわち、写真プリンタ）の図示しないバックプリント機能により、詳細なレンダリング条件やユーザに提供するレンダリング処理プログラムＰｒ２の簡単な使用方法および画像処理サービスの注文方法等をリファレンスプリントＩｍ１６の裏面に印字するようにしても良い。
【０３６６】
記録情報生成部１１０は、記憶手段１１１からユーザ用のレンダリング処理プログラムＰｒ２を取得し、画像搬送部３１へ送る。
【０３６７】
記録情報生成部１１０は、入力されたシーン参照画像データＩｍ３、表示用鑑賞画像参照データＩｍ４、基準鑑賞画像参照データＩｍ５および基準鑑賞画像参照データＩｍ５の生成に用いるレンダリング条件から、表示用鑑賞画像参照データＩｍ４の画像ファイルのヘッダ部にタグ情報として記録する差分データＡＩｍ６（「基準鑑賞画像参照データＩｍ５」―「表示用鑑賞画像参照データＩｍ４」の差分データ）、差分データＢＩｍ７（「シーン参照画像データＩｍ３」―「基準鑑賞画像参照データＩｍ５」の差分データ）および基準レンダリング情報Ｉｎ９を生成し、画像搬送部３１およびデータ蓄積手段７１に送信する。
【０３６８】
データ蓄積手段７１は、記録情報生成部１１０から受け取った画像データおよびレンダリング情報等をデータベースに記録し、必要に応じて、画像データおよびレンダリング情報等を通信手段４１に送る。
【０３６９】
画像搬送部３１は、ＦＤ用アダプタ、ＭＯ用アダプタ、光ディスク用アダプタを備え、ＦＤ、ＭＯおよびＣＤ―Ｒ等の携帯可能な記録媒体が使用可能になっており、記録情報生成部１１０から受け取ったユーザ用のレンダリング処理プログラムＰｒ２、画像データおよびレンダリング情報等を携帯可能な記録媒体に記録する。
【０３７０】
そして、ユーザ用のレンダリング処理プログラムＰｒ２、画像データおよびレンダリング情報等が記録された携帯可能な記録媒体およびリファレンスプリントＩｍ１６がユーザに提供される。
【０３７１】
なお、本第２の実施の形態においては、ユーザ用のレンダリング処理プログラム、画像データおよびレンダリング情報等を携帯可能な記録媒体に記録してユーザに提供するが、本発明はこれに限定されず、前記した第１の実施形態と同様に、データ蓄積手段７１に蓄積された画像データおよびレンダリング情報等やユーザ用のレンダリング処理プログラムＰｒ２の一部または全部を通信手段４１によって、画像処理サービス提供者の専用回線および／またはインターネット等の公衆回線等の有線および／または無線通信網を介して、ユーザに提供するようにしても良い。
【０３７２】
次に、本第２の実施の形態における動作を説明する。
図７に、本第２の実施の形態における画像処理装置２００による画像処理を説明するフローチャートを示す。当該フローチャートに示す画像処理は、制御部１２がメモリ８０ａあるいは記録媒体８１ａに格納された画像処理プログラムを実行することにより実現される。
【０３７３】
また、当該フローチャートの各ステップにおいて、参照、取得または生成される画像や、関連情報、プログラムも図７に示す。
【０３７４】
まず、画像処理サービス提供者は、店頭窓口、無人端末、インターネット等の通信網を介したサービスの受付を行ってユーザから注文情報Ｉｎ１と原画像Ｉｍ１を取得する。注文情報Ｉｎ１は、図示しないＡＰＳフィルムの情報記録手段に記録された情報やデジタル画像データファイルのヘッダ情報等として、画像と一体に提供される場合もある。
【０３７５】
ステップＳ２００１：
原画像Ｉｍ１が撮影済み写真フィルムや写真プリントの場合、必要に応じて現像処理が施された後、制御部１２は、フィルムスキャンデータ処理部２を制御してフィルムスキャナ部９からシーン参照生データＩｍ２を取得すると共に当該画像取り込みに用いたフィルムスキャナ部９の装置特性に係る情報を撮像装置情報Ｉｎ２として取得する。また、原画像Ｉｍ１がデジタルカメラ等で撮影されたデジタル画像で、当該デジタル画像が画像転送手段３０あるいは受信用通信手段４０を介して入力された場合、制御部１２は、画像データ書式解読処理部４を制御して当該デジタル画像のデータ構造を解析すると共にシーン参照生データＩｍ２および撮像装置情報Ｉｎ２を取得する。
また、制御部１２は、反射原稿スキャンデータ処理部３を制御して反射原稿入力装置１０を介して入力された画像データからシーン参照生データＩｍ２および撮像装置情報Ｉｎ２を取得することも可能である。
【０３７６】
ここで、制御部１２は、画像データが撮像装置特性補正処理が既に施されたシーン参照画像データＩｍ３である場合にはステップＳ２００４の処理へ進む。また、撮影時の情報が付与されている場合には、撮影情報Ｉｎ３として取得する。
【０３７７】
ステップＳ２００２：
制御部１２は、装置特性補正処理部１０３ａを制御して撮像装置情報Ｉｎ２に対応する撮像装置特性補正処理の再現データＩｎ４を処理条件テーブル１０３ｂから取得する。
【０３７８】
ステップＳ２００３：
制御部１２は、シーン参照生データＩｍ２および撮像装置特性補正処理の再現データＩｎ４に基づき、シーン参照画像データ生成部１０４を制御して標準化されたシーン参照画像データＩｍ３を生成する。
【０３７９】
ステップＳ２００４：
制御部１２は、出力デバイス情報処理部１０８を制御してデバイスデータベース１０９に記録されている表示用デバイス情報Ｉｎ５を取得する。
【０３８０】
ステップＳ２００５：
制御部１２は、表示用デバイス情報Ｉｎ５に基づき、レンダリング条件生成部１０５を制御して表示用鑑賞画像参照データＩｍ４を生成する次処理で用いる表示用デバイスに適したレンダリング条件Ｉｎ６を設定する。
【０３８１】
ステップＳ２００６：
制御部１２は、表示用デバイスに適したレンダリング条件Ｉｎ６に基づき、鑑賞画像参照データ生成部１０７を制御して表示用デバイスに適した表示用鑑賞画像参照データＩｍ４を生成する。
なお、ステップＳ２００５、ステップＳ２００６では、操作部１１および制御部１２から画像調整処理部１を介して、レンダリング条件および／または処理の順を変更するなどして繰り返し処理するようにしても良い。
【０３８２】
ステップＳ２００７：
制御部１２は、ユーザの注文情報Ｉｎ１に基づき、出力デバイス情報処理部１０８を制御して基準出力デバイスを画像処理サービス提供者の写真プリンタ（露光処理部１３）に決定すると共にデバイスデータベース１０９から基準出力デバイス情報Ｉｎ７を取得する。
【０３８３】
画像処理サービス申し込み／受付時に、ユーザから基準出力デバイスの指定が無い場合には、図示しない顧客データベースのユーザの過去の注文内容等を参照し、基準出力デバイスを設定する等、画像処理サービス提供者の判断で適宜設定するようにしても良い。
【０３８４】
ステップＳ２００８：
制御部１２は、取得した基準出力デバイス情報Ｉｎ７に基づき、レンダリング条件生成部１０５を制御して基準出力デバイスに適した基準鑑賞画像参照データＩｍ５を生成する次処理で用いるレンダリング条件、すなわち基準レンダリング条件Ｉｎ８を設定する。
なお、撮影情報Ｉｎ３を取得している場合には、撮影情報Ｉｎ３に応じてレンダリング条件を調整するようにしても良い。また、テンプレート画像をデータベースあるいは外部から通信網を介するなどして取得し、処理対象の画像に合成するようにしても良い。
【０３８５】
ステップＳ２００９：
制御部１２は、基準レンダリング条件Ｉｎ８に基づき、鑑賞画像参照データ生成部１０７を制御して基準鑑賞画像参照データＩｍ５を生成する。
【０３８６】
なお、ステップＳ２００８、ステップＳ２００９は、レンダリング条件および／または処理の順を変更するなどして繰り返し処理するようにしても良い。
【０３８７】
ステップＳ２０１０：
制御部１２は、上記したステップＳ２００８、ステップＳ２００９と同様に、レンダリング条件生成部１０５を制御して、出力デバイスを基準出力デバイスである画像処理サービス提供者の写真プリンタ（露光処理部１３）としながら、前記基準出力デバイスに適した基準レンダリング条件Ｉｎ８とは処理条件および／または処理順が異なるレンダリング条件（すなわち、比較レンダリング条件Ｉｎ１２）を設定し、この比較レンダリング条件Ｉｎ１２に基づいて比較鑑賞画像参照データＩｍ１４を生成する。
なお、２つ以上の比較レンダリング条件Ｉｎ１２等を設定し、対応する複数の比較鑑賞画像参照データＩｍ１４等を生成しても良い。
【０３８８】
ステップＳ２０１１：
制御部１２は、複数の比較レンダリング条件Ｉｎ１２等に基づき、鑑賞画像参照データ生成部１０７を制御して対応する複数の比較鑑賞画像参照データＩｍ１４等を生成する。
【０３８９】
ステップＳ２０１２：
制御部１２は、印刷情報生成部１１２を制御して、基準鑑賞画像参照データＩｍ５、複数の比較鑑賞画像参照データＩｍ１４等およびそれぞれの画像データに対応するレンダリング条件を取得し、所定の画像縮小、トリミング等を行い、プリント画像に付記するレンダリング条件の整理等を行い、リファレンス画像データＩｍ１５を生成し、必要に応じてプリンタ固有の校正処理、カラーマッチング、画素数変更等を行う。
【０３９０】
ステップＳ２０１３：
制御部１２は、プリンタ固有処理部７を制御して、基準出力デバイスである画像処理サービス提供者の写真プリンタ（露光処理部１３）にリファレンス画像データＩｍ１５を出力し、リファレンスプリントＩｍ１６を作成する。
この場合、ユーザ情報（ユーザＩＤ、氏名等）、画像情報（画像ＩＤ等）等を人および／または機械が読み取り可能なイメージ等として記録するようにしても良い。また、露光処理部１３（写真プリンタ）のバックプリント機能等を利用し、ユーザ情報（ユーザＩＤ、氏名等）、画像情報（画像ＩＤ等）等の他、詳細なレンダリング条件やユーザに提供するレンダリング処理プログラムＰｒ２の簡単な使用方法および画像処理サービスの注文方法等をリファレンスプリントＩｍ１６の表面および／または裏面に印字するようにしても良い。
【０３９１】
ステップＳ２０１４：
制御部１２は、以下に示すよに記録される情報を生成する。
（１）制御部１２は、記録情報生成部１１０を制御して基準鑑賞画像参照データＩｍ５の生成処理に用いる基準レンダリング条件Ｉｎ８を与える情報を基準レンダリング情報Ｉｎ９として生成する。
基準レンダリング情報Ｉｎ９を記録する場合、全ての処理項目と処理条件とを対応付けて記録しても良く、別途設定した標準のレンダリング条件との変更項目および／または処理条件の差異を記録するようにしても良い。
（２）制御部１２は、記録情報生成部１１０を制御して「基準鑑賞画像参照データＩｍ５」―「表示用鑑賞画像参照データＩｍ４」の差分データを差分データＡＩｍ６として生成する。
（３）制御部１２は、記録情報生成部１１０を制御して「シーン参照画像データＩｍ３」―「基準鑑賞画像参照データＩｍ５」の差分データを差分データＢＩｍ７として生成。
【０３９２】
ステップＳ２０１５：
制御部１２、記録情報生成部１１０を制御して画像搬送部３１に格納された携帯可能な記録媒体（図示略）にユーザ用のレンダリング処理プログラムＰｒ２を記録する。
【０３９３】
ステップＳ２０１６：
制御部１２は、記録情報生成部１１０を制御して、ステップＳ２０１５でユーザ用のレンダリング処理プログラムＰｒ２を記録した携帯可能な記録媒体に、基準レンダリング情報Ｉｎ９、差分データＡＩｍ６および差分データＢＩｍ７を、表示用鑑賞画像参照データＩｍ４の画像ファイルのヘッダ部にタグ情報として付加したタグ情報付き表示用鑑賞画像参照データファイルＩｍ８を記録する。この際、撮影情報Ｉｎ３等もタグ情報として記録されるようにしても良い。
【０３９４】
ステップＳ２０１６の後、画像処理サービス提供者は、基準レンダリング情報Ｉｎ９、差分データＡＩｍ６および差分データＢＩｍ７をタグ情報として含むタグ情報付き表示用鑑賞画像参照データファイルＩｍ８およびユーザ用のレンダリング処理プログラムＰｒ２を記録した携帯可能な記録媒体および基準鑑賞画像参照データＩｍ５に基づく画像、比較鑑賞画像参照データＩｍ１４に基づく画像およびそれぞれの画像に対応するレンダリング情報等からなるリファレンスプリントＩｍ１６をユーザに提供する。また、画像処理サービス提供者は、提供するデータ、プログラムおよびリファレンスプリントに応じて別途対価を請求することもできる。
【０３９５】
なお、本第２の実施形態では、表示用鑑賞画像参照データＩｍ４、基準鑑賞画像参照データＩｍ５を再構成可能な差分データＡＩｍ６、シーン参照画像データＩｍ３を再構成可能な差分データＢＩｍ７、基準レンダリング情報Ｉｎ９およびユーザ用のレンダリング処理プログラムＰｒ２を同一の携帯可能な記録媒体に記録してユーザに提供するようにしているが、本発明はこれに限定されず、第１の実施形態と同様に、上記内容の一部を別の携帯可能な記録媒体に記録するようにしても良く、上記内容の一部または全部を通信網を介して提供するようにしても良い。
【０３９６】
さらに、ステップＳ２０１６で携帯可能な記録媒体に記録する基準レンダリング情報Ｉｎ９、差分データＡＩｍ６および差分データＢＩｍ７を表示用鑑賞画像参照データＩｍ４のファイルのヘッダ部にタグ情報として含む表示用鑑賞画像参照データファイルＩｍ８は、図３に示した第１の実施形態と同じ構造で良く、また、別の態様としては、タグ情報の一部または全部を別ファイルとして記録し、各ファイルのリンクが保たれるようにリンク情報をタグ情報等として記録する形式であっても良い。
【０３９７】
次に、レンダリング処理プログラムＰｒ２に基づくレンダリング処理について説明する。図８に、ユーザ用のレンダリング処理プログラムＰｒ２に基づくレンダリング処理を説明するフローチャートを示す。当該フローチャートに示すレンダリング処理は、ユーザが通常使用する図示しないＰＣの上記ユーザＣＰＵが画像処理サービス提供者から提供されるレンダリング処理プログラムＰｒ２を実行することにより実現される。
【０３９８】
また、当該フローチャートの各ステップにおいて、参照、取得または生成される画像や、関連情報、プログラムも図８に示す。
【０３９９】
まず、ユーザは、画像処理サービス提供者からタグ情報付き表示用鑑賞画像参照データファイルＩｍ８およびレンダリング処理プログラムＰｒ２を記録した携帯可能な記録媒体とリファレンスプリントＩｍ１５を受領（自分のＰＣに格納およびインストール）する。
【０４００】
ステップＳ２１０１：
ユーザＣＰＵは、受領したレンダリング処理プログラムＰｒ２を起動する。
【０４０１】
ステップＳ２１０２：
ユーザＣＰＵは、レンダリング処理プログラムＰｒ２に基づき、タグ情報付き表示用鑑賞画像参照データファイルＩｍ８のタグ情報解析を行い、さらに、表示用鑑賞画像参照データＩｍ４、基準レンダリング情報Ｉｎ９、差分データＡＩｍ６および差分データＢＩｍ７等の各種情報を取得する。
【０４０２】
ステップＳ２１０３：
ユーザＣＰＵは、表示用鑑賞画像参照データＩｍ４を図示しない表示装置にディスプレイ表示する。この際、ユーザＣＰＵは、画素数の小さいサムネイル画像を必要に応じて生成し表示するのが好ましい。サムネイル画像は、画像処理サービス提供者により生成され、シーン参照画像データＩｍ３を与える情報および基準レンダリング情報Ｉｎ９と関連付けて記録されるのが好ましい。さらに、サムネイル画像をタグ情報付き表示用鑑賞画像参照データファイルＩｍ８のヘッダ部にタグ情報として記録されるようにしても良い。
【０４０３】
ステップＳ２１０４：
ユーザＣＰＵは、ユーザにより入力された処理対象となる画像を指定する指示を受信する。
【０４０４】
ステップＳ２１０５：
処理対象となる画像が指定されると、ユーザＣＰＵは、レンダリング処理プログラムＰｒ２に基づき、当該処理に用いる画像データを下記に示すように再構成する。
（１）表示用鑑賞画像参照データＩｍ４および差分データＡＩｍ６を合成し、基準鑑賞画像参照データＩｍ５を再構成する。
（２）基準鑑賞画像参照データＩｍ５および差分データＢＩｍ７を合成し、シーン参照画像データＩｍ３を再構成する。
【０４０５】
ステップＳ２１０６：
ユーザＣＰＵは、処理対象の画像と対応付けて基準レンダリング情報Ｉｎ９をディスプレイ表示する。
【０４０６】
ステップＳ２１０７：
ユーザＣＰＵは、ディスプレイ表示された基準レンダリング情報Ｉｎ９、リファレンスプリントＩｍ１６上に印刷された基準鑑賞画像参照データＩｍ５に基づく画像と比較鑑賞画像参照データＩｍ１４に基づく画像およびそれぞれの画像に対応するレンダリング情報を参考にして行ったユーザの指示に基づいて、ユーザの意図にあった好みの仕上がりのプリントを作成するための変更鑑賞画像参照データＩｍ１０を生成する際に用いるレンダリング条件、すなわち変更レンダリング条件Ｉｎ１０を設定する。
基準レンダリング情報Ｉｎ９が処理対象の画像と対応してディスプレイ表示されると共に、基準鑑賞画像参照データＩｍ５と比較鑑賞画像参照データＩｍ１４に基づく画像およびそれぞれの画像に対応するレンダリング情報を基準出力デバイスである画像処理サービス提供者の写真プリンタ（露光処理部１３）に出力して作成されたリファレンスプリントＩｍ１６が示されるので、ユーザはこれらを参考にして容易に変更レンダリング条件Ｉｎ１０を設定することができる。
【０４０７】
ステップＳ２１０８：
ユーザＣＰＵは、シーン参照画像データＩｍ３に対し変更レンダリング条件Ｉｎ１０に基づいてレンダリング処理等の画像処理を施して、新たな鑑賞画像参照データ、すなわち変更鑑賞画像参照データＩｍ１０を生成する。
【０４０８】
ステップＳ２１０９：
ユーザＣＰＵは、以下に示すように記録する情報を生成する。
（１）ユーザＣＰＵは、変更レンダリング条件Ｉｎ１０を与える情報を変更レンダリング情報Ｉｎ１１として生成する。
なお、変更レンダリング情報Ｉｎ１１を記録する場合、全ての処理項目と処理条件を対応付けて記録しても良く、別途設定した標準のレンダリング条件との変更項目および／または処理条件の差異を記録するようにしても良い。また、基準レンダリング情報Ｉｎ９との変更項目および／または処理条件の差異を記録するようにしても好ましい。
（２）ユーザＣＰＵは、「変更鑑賞画像参照データＩｍ１０」―「表示用鑑賞画像参照データＩｍ４」の差分データを差分データＣＩｍ１２として生成する。
【０４０９】
ステップＳ２１１０：
ユーザＣＰＵは、基準レンダリング情報Ｉｎ９、変更レンダリング情報Ｉｎ１１、差分データＡＩｍ６、差分データＢＩｍ７および差分データＣＩｍ１２を、表示用鑑賞画像参照データＩｍ４の画像ファイルのヘッダ部にタグ情報付加した、タグ情報付き表示用鑑賞画像参照データファイルＩｍ１３として記録する（図５参照）。
この場合、撮影情報Ｉｎ３等もタグ情報として記録するようにしても良い。また、ユーザの判断により、ステップＳ２１０７の処理に戻り、変更レンダリング条件Ｉｎ１０を再設定するようにしても良い。
【０４１０】
ステップＳ２１１１の後、ユーザは、ステップＳ２１１０で作成したタグ情報付き表示用鑑賞画像参照データファイルＩｍ１３を必要に応じて携帯可能な記録媒体に再記録し、画像処理サービス提供者に対して直接または郵送などにより当該記録媒体を添えて画像処理サービス依頼する。
【０４１１】
画像処理サービス提供者は、上記ユーザからの画像処理サービス依頼に応じて、基準出力デバイスである画像処理サービス提供者の写真プリンタ（露光処理部１３）に変更鑑賞画像参照データＩｍ１０を出力し、ユーザの意図や好みを反映した仕上がりのハードコピープリントを作成する。
【０４１２】
なお、変更鑑賞画像参照データＩｍ１０を基準出力デバイスである画像処理サービス提供者の写真プリンタ（露光処理部１３）に出力して作成したハードコピープリントがユーザの満足いく仕上がりであった場合には、ユーザＣＰＵは、変更レンダリング情報Ｉｎ１１を基準レンダリング情報Ｉｎ９として記録するようにしても良く、変更鑑賞画像参照データＩｍ１０を新たな基準鑑賞画像参照データとして設定して記録するようにしても良い。
【０４１３】
また、変更鑑賞画像参照データＩｍ１０を新たな基準鑑賞画像参照データとして設定して記録する場合、ユーザＣＰＵは、シーン参照画像データＩｍ３、変更レンダリング情報Ｉｎ１１および変更鑑賞画像参照データＩｍ１０を各々関連付けて記録しても良く、「シーン参照画像データＩｍ３」―「変更鑑賞画像参照データＩｍ１０」の差分データＤ（図示せず）を求めて、変更レンダリング情報Ｉｎ１１、差分データＣＩｍ１２および差分データＤをタグ付き表示用鑑賞画像参照データファイルＩｍ１３のタグ情報として記録するようにしても良い。この場合、画像処理サービス提供者のデータ蓄積手段７１に記録されている関連データも更新するようにしても良い。
【０４１４】
ステップＳ２１１０で携帯可能な記録媒体に記録する基準レンダリング情報Ｉｎ９、変更レンダリング情報Ｉｎ１１、差分データＡＩｍ６、差分データＢＩｍ７および差分データＣＩｍ１２を表示用鑑賞画像参照データＩｍ４の画像ファイルのヘッダ部にタグ情報として付加したタグ情報付き表示用鑑賞画像参照データファイルＩｍ１３は、図５に示した第１の実施形態と同じ構造で良いし、タグ情報の一部または全部を別ファイルにする形式であっても良い。
【０４１５】
また、本第２の実施の形態では、ユーザは、タグ情報付き表示用鑑賞画像参照データファイルＩｍ１３を記録した携帯可能な記録媒体を添えて画像処理サービス提供者に画像処理サービス依頼するようにしたが、本発明はこの態様に限定されず、情報の一部または全部および注文情報等を電子メールおよび／または添付情報として送信したり、サービス受付サイトに転送する等、インターネット等の通信網を介して画像処理サービス提供者に対してプリント注文するようにしても良い。
【０４１６】
以上説明したように、基準レンダリング情報Ｉｎ９が対象画像と対応してディスプレイ表示され、基準鑑賞画像参照データＩｍ５と比較鑑賞画像参照データＩｍ１４に基づく画像およびそれぞれの画像に対応するレンダリング情報を基準出力デバイスである画像処理サービス提供者の写真プリンタ（露光処理部１３）に出力して作成したリファレンスプリントＩｍ１６が示されるので、ユーザはこれらを参考にして、容易に変更レンダリング条件Ｉｎ１０を設定することができる。当該変更レンダリング条件Ｉｎ１０に基づいて生成される変更鑑賞画像参照データＩｍ１０が基準出力デバイスである画像処理サービス提供者の写真プリンタ（露光処理部１３）から出力されるので、ユーザの意図や好みを反映した高画質のハードコピープリントを作成することができる。
【０４１７】
複数の比較レンダリング条件Ｉｎ１２等を与える情報および／または複数の比較鑑賞画像参照データＩｍ１４等をユーザに提供し、ユーザ用のレンダリング処理プログラムＰｒ２はこれらの情報もディスプレイ表示してユーザがレンダリング条件を選択あるいは設定できるようにしても良い。
【０４１８】
コンピュータを保有していない等の理由で本発明の画像データを扱えないユーザに対しては、顧客情報、画像ＩＤ等を記録したリファレンスプリントＩｍ１６（基準プリントおよび比較プリント）を提供するようにしても良い。ユーザがリファレンスプリントｍ１６を観察し、好みの仕上がりの画像（処理内容）を指定し、リファレンスプリントＩｍ１６を添えてプリント注文すると、画像処理サービス提供者は、リファレンスプリントＩｍ１６に記録された画像ＩＤに対応する画像データをデータ蓄積手段７１から取得してシーン参照画像データＩｍ３を再構成し、指定された処理内容、すなわちレンダリング情報に基づいてレンダリング処理を含む処理を施して新たな鑑賞画像参照データを生成し、当該生成した鑑賞画像参照データを基準出力デバイスである写真プリンタ（露光処理部１３）に出力して、ユーザの意図、好みを反映した高画質のハードコピープリントを作成するようにしても良い。
【０４１９】
【発明の効果】
本発明によれば、高画質プリントに反映される画像データを容易に調整できる機会をユーザに提供することにより、ユーザの好みを反映した仕上がりで高画質プリントが作成可能となる。
【図面の簡単な説明】
【図１】本発明を適用した第１の実施形態における画像処理装置の機能ブロック図である。
【図２】本発明を適用した第１の実施の形態における画像処理装置による画像処理を説明するフローチャートである。
【図３】図２に示すタグ情報付き表示用鑑賞画像参照データファイルのファイル構造を模式的に示す図である。
【図４】図２に示すレンダリング処理プログラムに基づくレンダリング処理を説明するフローチャートである。
【図５】図４に示すタグ情報付き表示用鑑賞画像参照データファイルのファイル構造を模式的に示す図である。
【図６】本発明を適用した第２の実施形態における画像処理装置の機能ブロック図である。
【図７】本発明を適用した第２の実施の形態における画像処理装置による画像処理を説明するフローチャートである。
【図８】図７に示すレンダリング処理プログラムに基づくレンダリング処理を説明するフローチャートである。
【符号の説明】
１００、２００　画像処理装置
１　画像調整処理部
２　フィルムスキャンデータ処理部
３　反射原稿スキャンデータ処理部
４　画像データ書式解読処理部
６　ＣＲＴ固有処理部
７　プリンタ固有処理部
８　ＣＲＴ
９　フィルムスキャナ部
１０　反射原稿入力装置
１１　操作部
１２　制御部
１３　露光処理部
３０　画像転送手段
３１　画像搬送部
４０　受信用通信手段
４１　通信手段
７１　データ蓄積手段
８０、８０ａ　メモリ
８１、８１ａ　記録媒体
１０２　ヘッダ情報解析部
１０３ａ　装置特性補正処理部
１０３ｂ　処理条件テーブル
１０４　シーン参照画像データ生成部
１０５　レンダリング条件生成部
１０６　撮影情報処理部
１０７　鑑賞画像参照データ生成部
１０８　出力デバイス情報処理部
１０９　デバイスデータベース
１１０　記録情報生成部
１１１　記憶手段
１１２　印刷情報生成部
１２０、１２０ａ　画像処理部
【図１】
2004112675.tif 000003
【図２】
2004112675.tif 000004
【図３】
2004112675.tif 000005
【図４】
2004112675.tif 000006
【図５】
2004112675.tif 000007
【図６】
2004112675.tif 000008
【図７】
2004112675.tif 000009
【図８】
2004112675.tif 000010